(57)【要約】デジタル放送において、視聴者が指示した番組を素早く選択する。  チューナＡ部（１０２）は、デジタル放送信号から、第１チャンネルに含まれるストリームを、第１ストリームとして取得する。チューナＢ部（１１５）は、デジタル放送信号から、第１チャンネルに隣接する第２チャンネルに含まれるストリームを、第２ストリームとして取得する。ストリーム選択部（１１９）、デコーダＡ部（１０４）、デコーダＢ部（１２０）は、上記第１ストリームおよび上記第２ストリームから、互いに隣接する２つのストリームを復号化する。番組選択部（１２１）は、２つのストリームのいずれかを、現在の番組として選択する。【特許請求の範囲】
【請求項１】
デジタル放送信号を受信し、当該デジタル放送信号から番組を復号化するデジタル放送受信装置であって、
上記デジタル放送信号から、第１チャンネルに含まれるストリームを、第１ストリームとして取得する第１受信処理手段と、
上記デジタル放送信号から、上記第１チャンネルに隣接する第２チャンネルに含まれるストリームを、第２ストリームとして取得する第２受信処理手段と、
上記第１ストリームおよび上記第２ストリームから、互いに隣接する２つのストリームを復号化するストリーム選択手段と、
上記２つのストリームのいずれかを、現在の番組として選択する番組選択手段とを備えているデジタル放送受信装置。
【請求項２】
上記第１受信処理手段は、上記第１チャンネルに含まれる全てのストリームを、第１ストリームとして取得するものであり、
上記第２受信処理手段は、上記第２チャンネルに含まれる全てのストリームを、第２ストリームとして取得するものである、請求項１に記載のデジタル放送受信装置。
【請求項３】
上記現在の番組を新たな番組に切り替えるとき、
上記番組選択手段に対し、上記２つのストリームのうち、現在選択していないストリームを、新たな番組として選択するように指示する番組選択制御手段をさらに備えている請求項１または２に記載のデジタル放送受信装置。
【請求項４】
上記第１受信処理手段および第２受信処理手段のうち、上記現在の番組を含むチャンネルのストリームを取得する方に、上記新たな番組を含むチャンネルの次のチャンネルのストリームを取得するように指示するチャンネル選択制御手段をさらに備えている請求項３に記載のデジタル放送受信装置。
【請求項５】
デジタル放送信号を受信し、当該デジタル放送信号から番組を復号化するデジタル放送受信装置であって、
上記デジタル放送信号から、第１チャンネルに含まれるストリームを、第１ストリームとして取得する第１受信処理手段と、
上記デジタル放送信号から、上記第１チャンネルに隣接する第２チャンネルに含まれるストリームを、第２ストリームとして取得する第２受信処理手段と、
上記デジタル放送信号から、上記第２チャンネルに隣接する第３チャンネルに含まれるストリームを、第３ストリームとして取得する第３受信処理手段と、
上記第１ストリーム、上記第２ストリーム、および上記第３ストリームから、互いに隣接する３つのストリームを復号化するストリーム選択手段と、
上記３つのストリームのうち、中央のストリームを、現在の番組として選択する番組選択手段とを備えているデジタル放送受信装置。
【請求項６】
上記第１受信処理手段は、上記第１チャンネルに含まれる全てのストリームを、第１ストリームとして取得するものであり、
上記第２受信処理手段は、上記第２チャンネルに含まれる全てのストリームを、第２ストリームとして取得するものであり、
上記第３受信処理手段は、上記第３チャンネルに含まれる全てのストリームを、第３ストリームとして取得するものである、請求項５に記載のデジタル放送受信装置。
【請求項７】
上記現在の番組を新たな番組に切り替えるとき、
上記番組選択手段に対し、上記３つのストリームのうち、上記現在の番組に対応するストリームの隣のストリームを、新たな番組として選択するように指示する番組選択制御手段をさらに備えている請求項５または６に記載のデジタル放送受信装置。
【請求項８】
上記第１受信処理手段、第２受信処理手段、および第３受信処理手段のうち、上記現在の番組を含むチャンネルのストリームを取得する方に、上記新たな番組を含むチャンネルの次のチャンネルのストリームを取得するように指示するチャンネル選択制御手段をさらに備えている請求項７に記載のデジタル放送受信装置。
【請求項９】
デジタル放送信号を受信し、当該デジタル放送信号から番組を復号化するデジタル放送受信装置であって、
上記デジタル放送信号から、第１チャンネルに含まれるストリームを、第１ストリームとして取得する第１受信処理手段と、
上記デジタル放送信号から、上記第１チャンネル以外の任意の第２チャンネルに含まれるストリームを、第２ストリームとして取得する第２受信処理手段と、
上記デジタル放送信号から、上記第１および第２チャンネル以外の第３チャンネルに含まれるストリームを、第３ストリームとして取得する第３受信処理手段と、
上記第１ストリーム、上記第２ストリーム、および上記第３ストリームから、任意の３つのストリームを復号化するストリーム選択手段と、
上記３つのストリームのうち、いずれか１つのストリームを、現在の番組として選択する番組選択手段と、
上記現在の番組を新たな番組に切り替えるとき、上記番組選択手段に対し、上記３つのストリームのうち、上記現在の番組に対応するストリーム以外のストリームのいずれか１つを、新たな番組として選択するように指示する番組選択制御手段とを備えているデジタル放送受信装置。
【請求項１０】
上記第１受信処理手段、第２受信処理手段、および第３受信処理手段のうち、上記現在の番組を含むチャンネルのストリームを取得する方に、上記新たな番組を含むチャンネルの次のチャンネルのストリームを取得するように指示するチャンネル選択制御手段をさらに備えている請求項９に記載のデジタル放送受信装置。
【請求項１１】
デジタル放送信号を受信するデジタル放送受信装置において、当該デジタル放送信号から復号化される番組を選択する番組選択方法であって、
上記デジタル放送信号から、第１チャンネルに含まれるストリームを、第１ストリームとして取得するステップと、
上記デジタル放送信号から、上記第１チャンネルに隣接する第２チャンネルに含まれるストリームを、第２ストリームとして取得するステップと、
上記第１ストリームおよび上記第２ストリームから、互いに隣接する２つのストリームを復号化するステップと、
上記２つのストリームのいずれかを、現在の番組として選択するステップとを含んでいることを特徴とする番組選択方法。
【請求項１２】
デジタル放送信号を受信するデジタル放送受信装置において、当該デジタル放送信号から復号化される番組を選択する番組選択方法であって、
上記デジタル放送信号から、第１チャンネルに含まれるストリームを、第１ストリームとして取得するステップと、
上記デジタル放送信号から、上記第１チャンネルに隣接する第２チャンネルに含まれるストリームを、第２ストリームとして取得するステップと、
上記デジタル放送信号から、上記第２チャンネルに隣接する第３チャンネルに含まれるストリームを、第３ストリームとして取得するステップと、
上記第１ストリーム、上記第２ストリーム、および上記第３ストリームから、互いに隣接する３つのストリームを復号化するステップと、
上記３つのストリームのうち、中央のストリームを、現在の番組として選択するステップとを含んでいることを特徴とする番組選択方法。
【請求項１３】
デジタル放送信号を受信するデジタル放送受信装置において、当該デジタル放送信号から復号化される番組を選択する番組選択方法であって、
上記デジタル放送信号から、第１チャンネルに含まれるストリームを、第１ストリームとして取得するステップと、
上記デジタル放送信号から、上記第１チャンネル以外の任意の第２チャンネルに含まれるストリームを、第２ストリームとして取得するステップと、
上記デジタル放送信号から、上記第１および第２チャンネル以外の第３チャンネルに含まれるストリームを、第３ストリームとして取得するステップと、
上記第１ストリーム、上記第２ストリーム、および上記第３ストリームから、任意の３つのストリームを復号化するステップと、
上記３つのストリームのうち、いずれか１つのストリームを、現在の番組として選択するステップと、
上記現在の番組を新たな番組に切り替えるとき、上記３つのストリームのうち、上記現在の番組に対応するストリーム以外のストリームのいずれか１つを、新たな番組として選択するステップとを含んでいる番組選択方法。
【請求項１４】
請求項１から１０のうち何れか１項に記載のデジタル放送受信装置を動作させる番組変更プログラムであって、コンピュータを上記の各手段として機能させるための番組変更プログラム。
【請求項１５】
請求項１４に記載の番組変更プログラムを記録しているコンピュータ読み取り可能な記録媒体。
【発明の詳細な説明】
【技術分野】
【０００１】  本発明は、複数のチューナを搭載したデジタル放送受信装置における番組の選局技術に関する。より詳細には、視聴者が選択した番組を速やかに出力するデジタル放送受信装置、番組選択方法、番組変更プログラムおよび記録媒体に関する。
【背景技術】
【０００２】  近年、放送業界では、デジタル放送の開始にともない、放送の多チャンネル化が進んでいる。また、１つのチャンネルにおいて、複数の番組を放送できるようになっている。このような状況から、放送の多番組化が実現されつつある。【０００３】  デジタル放送では、映像信号および音声信号を含んでいる番組を放送する。加えて、付加情報であるＳＩ（Ｓｅｒｖｉｃｅ  Ｉｎｆｏｒｍａｔｉｏｎ）情報も伝送する。デジタル放送受信装置は、ＳＩ情報に基づき、電子番組表（ＥＰＧ、Ｅｌｅｃｔｒｏｎｉｃ  Ｐｒｏｇｒａｍ  Ｇｕｉｄｅ）を生成する。【０００４】  視聴者は、デジタル放送受信装置が生成した電子番組表を見ることによって、多数のチャンネルの中から、所望の番組を容易に選択できる。電子番組表を用いて番組を選択することは、視聴者にとって非常に便利である。一方、視聴者は、視聴したい番組が特になく、番組を短時間に次々と切り替えることもある。このような視聴者にとっては、電子番組表を用いて番組をダイレクトに選択するよりは、チャンネルアップキーやチャンネルダウンキーを用いて、番組を連続的に順次選局するほうが便利である。【０００５】  デジタル放送とアナログ放送には、決定的な違いが一つある。その違いとは、デジタル放送受信装置が、デジタル放送波から番組を復調することである。デジタル放送受信装置は、受信したデジタル放送波から、トランスポートストリーム（Ｔｒａｎｓｐｏｒｔ  Ｓｔｒｅａｍ）を生成する。さらに、トランスポートストリームに含まれる、圧縮された映像信号および音声信号を復号化する。このとき、デジタル放送受信装置は、信号を処理するために約１秒の時間を要する。【０００６】  この処理時間があるため、視聴者がチャンネルアップキーやチャンネルダウンキーを押下しても、選択した番組はすぐに再生されない。このとき、視聴者は、番組がなかなか再生されないことに、ストレスを感じてしまう。【０００７】  このような問題を解決する技術を開示する文献として、特許文献１がある。特許文献１のデジタル放送受信装置１０では、通常の第１のチューナに加えて、第２のチューナを設ける。そして、視聴者が、チャンネルアップキーやチャンネルダウンキーを押下して番組を選択する時に、あらかじめ第２のチューナを通じて取得した静止画を、チャンネルの表示とともに出力する。【０００８】  特許文献１のデジタル放送受信装置１０について、図２０を参照して以下に説明する。図２０は、従来技術に係るデジタル放送受信装置の構成例を示す機能ブロック図である。【０００９】  図２０に示すデジタル放送受信装置１０は、アンテナ１０１０を通じてデジタル放送波を受信する。次に、第１のチューナに相当するチューナＡ部１０２０が、デジタル放送波からトランスポートストリームを生成する。デコーダ部１０４０は、トランスポートストリームを、映像信号または音声信号からなる複数のストリームに分離する。ここで、ストリームとは、音声データまたは映像データを１つの単位にまとめたデータである。デコーダ部１０４０は、さらに、トランスポートストリームからセクションを分離する。ここで、セクションとは、音声データおよび映像データ以外のデータを１つの単位にまとめたデータである。セクションはＳＩ情報を含んでいる。システム制御部１０５０は、ＳＩ情報から電子番組表を生成する。【００１０】  多重分離Ａ部１０３０が分離したストリームを、デコーダ部１０４０が復号化し、第１ストリームおよび第２ストリームを生成する。デコーダ部１０４０は、映像信号を映像処理部１０９０に出力し、音声信号を音声処理部１０７０に出力する。音声処理部１０７０は、音声信号を音声出力部１０８０に出力する。映像処理部１０９０は、映像信号を映像合成部１１００に出力する。このとき、映像合成部１１００には、ＯＳＤ表示部１１１０から、ＯＳＤ表示（Ｏｎ  Ｓｃｒｅｅｎ  Ｄｉｓｐｌａｙ）が入力される。そこで映像処理部１０９０は、入力された第２ストリームおよびＯＳＤ表示を合成し、映像出力部１１２０に出力する。映像出力部１１２０は、ＯＳＤ表示が合成された第２ストリームを、デジタル放送受信装置１０に接続されている他の装置に出力する。【００１１】  一方、アンテナ１０１０を通じて受信したデジタル放送波は、第２のチューナに相当するチューナＢ部１１５０にも入力される。チューナＢ部１１５０は、デジタル放送波を復調することによって、トランスポートストリームを生成する。多重分離Ｂ部１１６０は、トランスポートストリームから、ＳＩ情報を含むセクションを分離する。さらに、映像ストリームを分離する。多重分離Ｂ部１１６０は、セクションをシステム制御部１０５０に出力し、映像ストリームを静止画抽出部１１７０へ出力する。【００１２】  静止画抽出部１１７０は、入力された映像ストリームから、静止画面を抽出し、システム制御部１０５０へ出力する。システム制御部１０５０は、入力された静止画像を、チャンネルの情報と関連づけて記憶部１０６０に格納する。さらに、チューナＢ部１１５０に対し、次のチャンネルの周波数を設定する。この動作を順次、繰り返すことによって、番組の情報リストを生成する。【００１３】  視聴者がリモコン１１３０を操作してチャンネルアップキーを押下する場合の、デジタル放送受信装置１０の動作を以下に説明する。まず、視聴者は、リモコン１１３０を操作しチャンネルアップキーを押下する。リモコン１１３０は、チャンネルアップキーが操作されたことを示すＩＲ信号を、デジタル放送受信装置１０に送信する。デジタル放送受信装置１０では、このＩＲ信号をＩＲ受信部１１４０が受信する。システム制御部１０５０は、ＩＲ受信部１１４０が受信したＩＲ信号に基づき、視聴者が、リモコン１１３０のチャンネルアップキーを押下したと判定する。これにより、システム制御部１０５０は、記憶部１０６０にアクセスすることによって、番組の情報リストから、次の番組の静止画像を読み出す。【００１４】  システム制御部１０５０は、読み出した静止画像をデコーダ部１０４０に出力する。デコーダ部１０４０は、静止画像を復号化し、映像処理部１０９０に出力する。映像処理部１０９０は、復号化された静止画像を映像合成部１１００に出力する。映像合成部１１００は、静止画像を、ＯＳＤ表示部１１１０から入力されたＯＳＤ表示に合成し、映像出力部１１２０に出力する。【００１５】  システム制御部１０５０は、静止画像に対応するチャンネル番号を��ＯＳＤ表示部１１１０に出力する。これにより、ＯＳＤ表示部１１１０は、静止画像のチャンネルに対応したＯＳＤ表示を表示する。【００１６】  視聴者がチャンネルダウンキーを押下する場合、デジタル放送受信装置１０は、次の番組ではなく、前の番組の静止画像を読み出す。このことを除き、デジタル放送受信装置１０は、視聴者がチャンネルアップキーを押下するときと同様に動作する。【００１７】  以上の動作により、視聴者が他の番組を選択するとき、デジタル放送受信装置１０は、あらかじめ記憶部１０６０に格納されている、視聴者が選択した番組の静止画像を出力する。これにより、受信したデジタル放送波を復調し、多重分離し、さらに動画を復号化する場合に比べると、デジタル放送受信装置１０は、番組の内容を、番組の番号とともにはるかに高速に表示できる。したがって、視聴者は、番組を選択するときストレスを感じることがない。
【特許文献１】日本国公開特許公報「特開２００２−３２０１５３号公報（公開日：２００２年１０月３１日）」
【発明の開示】
【００１８】  上述したように、特許文献１では、チャンネルアップキーおよびチャンネルダウンキーを押下することによって、視聴者が、番組を高速に選択できる。しかし、視聴者が番組を決定したあと、デジタル放送受信装置１０は、第１のチューナに新たなチャンネルを設定し直す必要がある。したがって、選択した番組を視聴者が実際に視聴するために、約１秒の信号処理時間が必要になることに変わりはない。この信号処理時間は、特に所望の番組がなく、番組を次々と切り替えながら視聴する視聴者にとって、依然としてストレスの原因となる。
【００１９】  本発明は上記の課題を解決するためになされたものであり、その目的は、デジタル放送において、視聴者が指示した番組を素早く選択するデジタル放送受信装置、番組選択方法、番組変更プログラムおよび記録媒体を提供することにある。
【００２０】  上記の課題を解決するために、本発明に係るデジタル放送受信装置は、デジタル放送信号を受信し、当該デジタル放送信号から番組を復号化するデジタル放送受信装置であって、上記デジタル放送信号から、第１チャンネルに含まれるストリームを、第１ストリームとして取得する第１受信処理手段と、上記デジタル放送信号から、上記第１チャンネルに隣接する第２チャンネルに含まれるストリームを、第２ストリームとして取得する第２受信処理手段と、上記第１ストリームおよび上記第２ストリームから、互いに隣接する２つのストリームを復号化するストリーム選択手段と、上記２つのストリームのいずれかを、現在の番組として選択する番組選択手段とを備えていることを特徴としている。
【００２１】  上記の構成によれば、本装置は、隣接する２つのチャンネルに含まれる、複数のストリームを取得する。ここで、本装置は、これらの複数のストリームから、互いに隣接する２つのストリームを復号化する。さらに、これらの２つの復号化されるストリームのいずれかを、現在の番組として選択する。
【００２２】  このように、本装置は、隣接する２つのストリームを、同時に、復号化する。したがって、一方のストリームを、現在の番組として選択するとき、常にその隣のストリームを、次または前のストリームとして復号化している。これにより、視聴者による指示によって、現在の番組を次の番組または前の番組に切り替える必要があるとき、本装置は、事前に復号化しているストリームを、次の番組または前の番組として選択できる。したがって、本装置は、指示された番組を、復号化のための処理時間を要することなく素早く選択する可能性が向上する効果を奏する。
【００２３】  なお、上記第１チャンネルに含まれるストリームの数は、１つであってもよいし、複数であってもよい。また、上記第１受信処理手段は、上記第１チャンネルに含まれるストリームの全てを取得するものであってもよいし、一部を取得するものであってもよい。従って、上記第１ストリームは、上記第１チャンネルに含まれる１つまたは複数のストリームを含み得る。ここで、第１チャンネルに含まれる各ストリームはそれぞれ１つの番組に対応する。このことは、第２チャンネルについても同様である。
【００２４】  また、ストリーム選択手段が復号する互いに隣接する２つのストリームは、ともに第１ストリームに含まれるストリームであってもよいし、ともに第２ストリームに含まれるストリームであってもよいし、あるいは、第１ストリームに含まれるストリームと第２ストリームに含まれるストリームとであってもよい。いずれの場合であっても、上記ストリーム選択手段は、互いに隣接する２つのストリームを同時に復号するので、一方のストリームが現在の番組として選択されているとき、その時点では番組として選択されていない隣接するストリームも同時に復号されるという上記作用を実現することができる。
【００２５】  本発明に係る番組選択方法は、上記の課題を解決するために、デジタル放送信号を受信するデジタル放送受信装置において、当該デジタル放送信号から復号化される番組を選択する番組選択方法であって、上記デジタル放送信号から、第１チャンネルに含まれるストリームを、第１ストリームとして取得するステップと、上記デジタル放送信号から、上記第１チャンネルに隣接する第２チャンネルに含まれるストリームを、第２ストリームとして取得するステップと、上記第１ストリームおよび上記第２ストリームから、互いに隣接する２つのストリームを復号化するステップと、上記２つのストリームのいずれかを、現在の番組として選択するステップとを含んでいることを特徴としている。
【００２６】  本方法によれば、上述したデジタル放送受信装置と同様の作用効果を奏する。
【００２７】  また、本発明に係るデジタル放送受信装置装置において、上記第１受信処理手段は、上記第１チャンネルに含まれる全てのストリームを、第１ストリームとして取得するものであり、上記第２受信処理手段は、上記第２チャンネルに含まれる全てのストリームを、第２ストリームとして取得するものである、ことが好ましい。
【００２８】  上記の構成によれば、上記第１チャンネルに含まれるストリームと、該第１チャンネルに隣接する第２チャンネルに含まれるストリームとが、全て取得される。このため、上記ストリーム選択手段は、上記第１チャンネルと上記第２チャンネルとについて、互いに隣接する２つのストリームを必ず復号し得る。したがって、上記の構成により、指示された番組を、復号化のための処理時間を要することなく素早く選択する可能性が更に向上する。
【００２９】  また、本発明に係るデジタル放送受信装置は、上記現在の番組を新たな番組に切り替えるとき、上記番組選択手段に対し、上記２つのストリームのうち、現在選択していないストリームを、新たな番組として選択するように指示する番組選択制御手段をさらに備えていることが好ましい。
【００３０】  上記の構成によれば、本装置は、復号化される２つのストリームのうち、現在選択していないストリームを、新たな番組として選択する。そのため、たとえば、現在の番組の次の番組または前の番組を選択するように、視聴者によって指示されたとき、本装置は、事前に復号化しているストリームを、次の番組または前の番組として選択できる。これにより、本装置は、指示された番組を、復号化のための処理時間を要することなく素早く選択できる効果を奏する。
【００３１】  また、本発明に係るデジタル放送受信装置は、上記第１受信処理手段および第２受信処理手段のうち、上記現在の番組を含むチャンネルのストリームを取得する方に、上記新たな番組を含むチャンネルの次のチャンネルのストリームを取得するように指示するチャンネル選択制御手段をさらに備えていることが好ましい。
【００３２】  上記の構成によれば、本装置は、現在の番組を他の番組に選択したあと、新たな番組を含むチャンネルの次のチャンネルのストリームを、取得する。これにより、本装置は、視聴者によってさらに次に選択される可能性の高い番組のストリームを、事前に復号化する。したがって、本装置は、視聴者が隣接する番組を連続的に切り替え続けたとしても、新たな番組を素早く選択できる効果を奏する。
【００３３】  本発明に係る他のデジタル放送受信装置は、上記の課題を解決するために、デジタル放送信号を受信し、当該デジタル放送信号から番組を復号化するデジタル放送受信装置であって、上記デジタル放送信号から、第１チャンネルに含まれるストリームを、第１ストリームとして取得する第１受信処理手段と、上記デジタル放送信号から、上記第１チャンネルに隣接する第２チャンネルに含まれる全てのストリームを、第２ストリームとして取得する第２受信処理手段と、上記デジタル放送信号から、上記第２チャンネルに隣接する第３チャンネルに含まれるストリームを、第３ストリームとして取得する第３受信処理手段と、上記第１ストリーム、上記第２ストリーム、および上記第３ストリームから、互いに隣接する３つのストリームを復号化するストリーム選択手段と、上記３つのストリームのうち、中央のストリームを現在の番組として選択する番組選択手段とを備えていることを特徴としている。
【００３４】  上記の構成によれば、本装置は、隣接する３つのチャンネルに含まれる、複数のストリームを取得する。ここで、本装置は、これらの複数のストリームから、隣接する３つのストリームを復号化する。さらに、これらの３つの復号化されるストリームのうち、中央のストリームを現在の番組として選択する。
【００３５】  このように、本装置は、隣接する３つのストリームを、同時に復号化する。これにより、視聴者による指示によって、現在の番組を次の番組または前の番組に切り替える必要があっても、本装置は、事前に復号化しているストリームを、次の番組または前の番組として選択できる。したがって、本装置は、視聴者が、現在の番組の次の番組または前の番組を指示する場合であっても、指示された番組を、復号化のための処理時間を要することなく素早く選択できる効果を奏する。
【００３６】  なお、上記第１チャンネルに含まれるストリームの数は、１つであってもよいし、複数であってもよい。また、上記第１受信処理手段は、上記第１チャンネルに含まれるストリームの全てを取得するものであってもよいし、一部を取得するものであってもよい。従って、上記第１ストリームは、上記第１チャンネルに含まれる１つまたは複数のストリームを含み得る。このことは、第２チャンネルおよび第３チャンネルについても同様である。
【００３７】  本発明に係る他の番組選択方法は、上記の課題を解決するために、デジタル放送信号を受信するデジタル放送受信装置において、当該デジタル放送信号から復号化される番組を選択する番組選択方法であって、上記デジタル放送信号から、第１チャンネルに含まれるストリームを、第１ストリームとして取得するステップと、上記デジタル放送信号から、上記第１チャンネルに隣接する第２チャンネルに含まれるストリームを、第２ストリームとして取得するステップと、上記デジタル放送信号から、上記第２チャンネルに隣接する第３チャンネルに含まれるストリームを、第３ストリームとして取得するステップと、上記第１ストリーム、上記第２ストリーム、および上記第３ストリームから、互いに隣接する３つのストリームを復号化するステップと、上記３つのストリームのうち、中央のストリームを現在の番組として選択するステップとを含んでいることを特徴としている。
【００３８】  本方法によれば、上述したデジタル放送受信装置と同様の作用効果を奏する。
【００３９】  また、本発明に係るデジタル放送受信装置装置において、上記第１受信処理手段は、上記第１チャンネルに含まれる全てのストリームを、第１ストリームとして取得するものであり、上記第２受信処理手段は、上記第２チャンネルに含まれる全てのストリームを、第２ストリームとして取得するものである、上記第３受信処理手段は、上記第３チャンネルに含まれる全てのストリームを取得するものである、ことが好ましい。
【００４０】  上記の構成によれば、上記第１チャンネル、上記第２チャンネル、および上記第３チャンネルに含まれるストリームが、全て取得される。このため、上記ストリーム選択手段は、上記第１チャンネル、上記第２チャンネル、および上記第３チャンネルについて、互いに隣接する３つのストリームを必ず復号し得る。したがって、上記の構成により、指示された番組を、復号化のための処理時間を要することなく素早く選択する可能性が更に向上する。
【００４１】  また、本発明に係るデジタル放送受信装置は、上記現在の番組を新たな番組に切り替えるとき、上記番組選択手段に対し、上記３つのストリームのうち、上記現在の番組に対応するストリームの隣のストリームを、新たな番組として選択するように指示する番組選択制御手段をさらに備えていることが好ましい。
【００４２】  上記の構成によれば、視聴者が、現在の番組を新たな番組に切り替えるように指示する場合に、本装置は、現在の番組に隣接する２つの番組のいずれかを、新たな番組として選択する。上述したように、本装置は、これら２つの番組を、事前に復号化している。これにより、本装置は、指示された番組を、復号化のための処理時間を要することなく素早く選択できる効果を奏する。
【００４３】  また、本発明に係るデジタル放送受信装置は、上記第１受信処理手段、第２受信処理手段、および第３受信処理手段のうち、上記現在の番組を含むチャンネルのストリームを取得する方に、上記新たな番組を含むチャンネルの次のチャンネルのストリームを取得するように指示するチャンネル選択制御手段をさらに備えていることが好ましい。
【００４４】  上記の構成によれば、本装置は、現在の番組を他の番組に選択したあと、新たな番組を含むチャンネルの次のチャンネルのストリームを、取得する。これにより、本装置は、視聴者によってさらに次に選択される可能性の高い番組のストリームを、事前に復号化する。したがって、本装置は、視聴者が隣接する番組を連続的に切り替え続けたとしても、新たな番組を素早く選択できる効果を奏する。
【００４５】  本発明に係る他のデジタル放送受信装置は、上記の課題を解決するために、デジタル放送信号を受信し、当該デジタル放送信号から番組を復号化するデジタル放送受信装置であって、上記デジタル放送信号から、第１チャンネルに含まれるストリームを、第１ストリームとして取得する第１受信処理手段と、上記デジタル放送信号から、上記第１チャンネル以外の任意の第２チャンネルに含まれるストリームを、第２ストリームとして取得する第２受信処理手段と、上記デジタル放送信号から、上記第１および第２チャンネル以外の第３チャンネルに含まれるストリームを、第３ストリームとして取得する第３受信処理手段と、上記第１ストリーム、上記第２ストリーム、および上記第３ストリームから、任意の３つのストリームを復号化するストリーム選択手段と、上記３つのストリームのうち、いずれか１つのストリームを、現在の番組として選択する番組選択手段と、上記現在の番組を新たな番組に切り替えるとき、上記番組選択手段に対し、上記３つのストリームのうち、上記現在の番組に対応するストリーム以外のストリームのいずれか１つを、新たな番組として選択するように指示する番組選択制御手段とを備えていることを特徴としている。
【００４６】  上記の構成によれば、本装置は、互いに異なる任意の３つのチャンネルに含まれる、複数のストリームをそれぞれ取得する。ここで、本装置は、これらの複数のストリームから、任意の３つのストリームを復号化する。さらに、これらの３つの復号化されるストリームのうち、いずれか１つのストリームを、現在の番組として選択する。
【００４７】  このように、本装置は、任意の３つのストリームを、同時に復号化する。そして、これらのストリームのうち、いずれか１つを、現在の番組として選択する。さらに、現在の番組を新たな番組に切り替えるとき、デコード済みの３つのストリームのうち、現在の番組に対応するストリーム以外のストリームのいずれか１つを、新たな番組として選択する。これにより、視聴者による指示によって、現在の番組をアトランダムに任意の他の番組に切り替える必要があるときであっても、本装置は、事前に復号化しているストリームを、他の番組として選択できる。したがって、本装置は、視聴者が、現在の番組に隣接しない他の番組を選択する場合であっても、指示された番組を、復号化のための処理時間を要することなく素早く選択できる効果を奏する。
【００４８】  なお、上記第１チャンネルに含まれるストリームの数は、１つであってもよいし、複数であってもよい。また、上記第１受信処理手段は、上記第１チャンネルに含まれるストリームの全てを取得するものであってもよいし、一部を取得するものであってもよい。従って、上記第１ストリームは、上記第１チャンネルに含まれる１つまたは複数のストリームを含み得る。このことは、第２チャンネルおよび第３チャンネルについても同様である。
【００４９】  本発明に係る他の番組選択方法は、上記の課題を解決するために、デジタル放送信号を受信するデジタル放送受信装置において、当該デジタル放送信号から復号化される番組を選択する番組選択方法であって、上記デジタル放送信号から、第１チャンネルに含まれるストリームを、第１ストリームとして取得するステップと、上記デジタル放送信号から、上記第１チャンネル以外の任意の第２チャンネルに含まれるストリームを、第２ストリームとして取得するステップと、上記デジタル放送信号から、上記第１および第２チャンネル以外の任意の第３チャンネルに含まれるストリームを、第３ストリームとして取得するステップと、上記第１ストリーム、上記第２ストリーム、および上記第３ストリームから、任意の３つのストリームを復号化するステップと、上記３つのストリームのうち、いずれか１つのストリームを、現在の番組として選択するステップと、上記現在の番組を新たな番組に切り替えるとき、上記３つのストリームのうち、上記現在の番組に対応するストリーム以外のストリームのいずれか１つを、新たな番組として選択するステップとを含んでいることを特徴としている。
【００５０】  本方法によれば、上述したデジタル放送受信装置と同様の作用効果を奏する。
【００５１】  また、本発明に係るデジタル放送受信装置は、上記第１受信処理手段、第２受信処理手段、および第３受信処理手段のうち、上記現在の番組を含むチャンネルのストリームを取得する方に、上記新たな番組を含むチャンネルの次のチャンネルのストリームを取得するように指示するチャンネル選択制御手段をさらに備えていることが好ましい。
【００５２】  上記の構成によれば、本装置は、現在の番組を他の番組に選択あと、新たな番組を含むチャンネルの次のチャンネルのストリームを、取得する。これにより、本装置は、視聴者によってさらに次に選択される可能性の高い番組のストリームを、事前に復号化する。したがって、本装置は、視聴者が隣接する番組を連続的に切り替え続けたとしても、新たな番組を素早く選択できる効果を奏する。
【００５３】  なお、上記デジタル放送受信装置は、コンピュータによって実現してもよい。この場合、コンピュータを上記各手段として動作させることにより上記デジタル放送受信装置をコンピュータにおいて実現する番組変更プログラム、およびその番組変更プログラムを記録したコンピュータ読み取り可能な記録媒体も、本発明の範疇に入る。
【００５４】  以上のように、本発明に係るデジタル放送受信装置は、第１ストリームおよび上記第２ストリームから、互いに隣接する２つのストリームを復号化するストリーム選択手段と、上記２つのストリームのいずれかを、現在の番組として選択する番組選択手段とを備えているため、視聴者が指示した番組を素早く選択できる可能性を向上できる効果を奏する。
【図面の簡単な説明】
【００５５】
【図１】本発明の第１の実施形態に係るデジタル放送受信装置の構成例を示す機能ブロック図である。
【図２】本発明の第１の実施形態に係るデジタル放送受信装置が使用するチャンネル情報テーブルの構成例を示す図である。
【図３】本発明の第１の実施形態に係るデジタル放送受信装置が使用する番組情報テーブルの構成例を示す図である。
【図４】本発明の第１の実施形態に係るデジタル放送受信装置が使用するチャンネル切替リストの構成例を示す図である。
【図５】本発明の第１の実施形態に係るデジタル放送受信装置が使用する番組切替リストの構成例を示す図である。
【図６】本発明の第１の実施形態および第２の実施形態に係るデジタル放送受信装置が、現在の番組を次の番組または前の番組に切り替える際の処理の流れを示すフローチャートである。
【図７】本発明の第１の実施形態に係るデジタル放送受信装置が、現在の番組の次の番組を選択する際の処理の流れを示すフローチャートである。
【図８】本発明の第１の実施形態に係るデジタル放送受信装置が、番組切替リストをチェックする際の処理の流れを示すフローチャートである。
【図９】本発明の第１の実施形態に係るデジタル放送受信装置が、現在のチャンネルを次にチャンネルに切り替える際の処理の流れを示すフローチャートである。
【図１０】本発明の第１の実施形態に係るデジタル放送受信装置が、現在の番組の前の番組を選択する際の処理の流れを示すフローチャートである。
【図１１】本発明の第１の実施形態に係るデジタル放送受信装置が、番組切替リストをチェックする際の処理の流れを示すフローチャートである。
【図１２】本発明の第１の実施形態に係るデジタル放送受信装置が、現在のチャンネルを次のチャンネルに切り替える際の処理の流れを示すフローチャートである。
【図１３】本発明の第２の実施形態に係るデジタル放送受信装置の構成例を示す機能ブロック図である。
【図１４（ａ）】本発明の第２の実施形態および第３の実施形態に係るデジタル放送受信装置が使用するチャンネル切替リストの構成例を示す図であり、チャンネル切替リストの構成例および値の例を示す図である。
【図１４（ｂ）】本発明の第２の実施形態および第３の実施形態に係るデジタル放送受信装置が使用するチャンネル切替リストの構成例を示す図であり、ＺＡＰキー操作に対応した値の例を示す図である。
【図１５（ａ）】本発明の第２の実施形態および第３の実施形態に係るデジタル放送受信装置が使用する番組切替リストの構成例を示す図であり、番組切替リストの構成例および値の例を示す図である。
【図１５（ｂ）】本発明の第２の実施形態および第３の実施形態に係るデジタル放送受信装置が使用する番組切替リストの構成例を示す図であり、ＺＡＰキー操作に対応した値の例を示す図である。
【図１６】本発明の第３の実施形態に係るデジタル放送受信装置が、現在の番組の次の番組を選択する際の処理の流れを示すフローチャートである。
【図１７】本発明の第２の実施形態に係るデジタル放送受信装置が、現在の番組の前の番組を選択する際の処理の流れを示すフローチャートである。
【図１８】本発明の第３の実施形態に係るデジタル放送受信装置が、現在の番組を次の番組、前の番組、または任意の番組に切り替える際の処理の流れを示すフローチャートである。
【図１９】本発明の第３の実施形態に係るデジタル放送受信装置が、任意の番組を選択する処理の流れを示すフローチャートである。
【図２０】従来技術に係るデジタル放送受信装置の構成例を示す機能ブロック図である。
【符号の説明】
【００５６】１    デジタル放送受信装置
２    デジタル放送受信装置
１０１    アンテナ
１０２    チューナＡ部（第１受信処理手段）
１０３    多重分離Ａ部
１０４    デコーダＡ部
１０５    システム制御部（番組選択制御手段、チャンネル選択制御手段）
１０６    記憶部
１０７    音声処理部
１０８    音声出力部
１０９    映像処理部
１１０    映像合成部
１１１    ＯＳＤ表示部
１１２    映像出力部
１１３    リモコン
１１４    ＩＲ受信部
１１５    チューナＢ部（第２受信処理手段）
１１６    多重分離Ｂ部
１１８    チャンネル管理部
１１９    ストリーム選択部（ストリーム選択手段）
１２０    デコーダＢ部
１２１    番組選択部（番組選択手段）
１２２    チューナＣ部（第３受信処理手段）
１２３    多重分離Ｃ部
１２４    デコーダＣ部
【発明を実施するための最良の形態】
【００５７】  〔実施形態１〕
本発明の一実施形態について、図１〜図１２を参照して以下に説明する。【００５８】  まず、本実施形態におけるデジタル放送受信装置１の構成について、図１を参照して以下に説明する。図１は、本発明の第１の実施形態に係るデジタル放送受信装置１の構成例を示す機能ブロック図である。この図に示すように、デジタル放送受信装置１は、アンテナ１０１、チューナＡ部（第１受信処理手段）１０２、多重分離Ａ部１０３、デコーダＡ部１０４、システム制御部（番組選択制御手段、チャンネル選択制御手段）１０５、記憶部１０６、音声処理部１０７、映像処理部１０９、音声出力部１０８、ＯＳＤ表示部１１１、映像出力部１１２、映像合成部１１０、ＩＲ受信部１１４、チューナＢ部（第２受信処理手段）１１５、多重分離Ｂ部１１６、チャンネル管理部１１８、ストリーム選択部（ストリーム選択手段）１１９、デコーダＢ部１２０、および番組選択部（番組選択手段）１２１を備えている。【００５９】  図１に示すデジタル放送受信装置１は、アンテナ１０１に始まりストリーム選択部１１９を経由して番組選択部１２１に至るまでの間に、信号を処理する系統を２つ含んでいる。ストリーム選択部１１９と番組選択部１２１とを除く２つの受信処理系統は、設定されるチャンネルが異なることを除けば、基本的に同じように動作する。【００６０】  図１に示すように、デジタル放送受信装置１は、アンテナ１０１を通じてデジタル放送信号を受信する。このデジタル放送信号は、チューナＡ部１０２およびチューナＢ部１１５に入力される。チューナＡ部１０２は、システム制御部１０５による指示に基づき、デジタル放送波から、所望のチャンネルの放送波を復調する。このとき、チューナＡ部１０２は、各チャンネルの放送波から、それぞれ、トランスポートストリーム（ＴＳ、Ｔｒａｎｓｐｏｒｔ  Ｓｔｒｅａｍ）を生成する。チューナＡ部１０２は、生成したトランスポートストリームを多重分離Ａ部１０３に出力する。このトランスポートストリームは、複数のストリーム、およびセクションを含んでいる。そこで多重分離Ａ部１０３は、入力されたトランスポートストリームから、複数のストリーム、およびセクションを分離する。【００６１】  上述したように、デジタル放送受信装置１では、受信したデジタル放送信号はチューナＢ部１１５にも入力される。チューナＢ部１１５は、システム制御部１０５による指示に基づき、デジタル放送波から、所望のチャンネルの放送波を復調する。このとき、チューナＢ部１１５は、各チャンネルの放送波から、それぞれ、トランスポートストリームを生成する。チューナＢ部１１５は、生成したトランスポートストリームを多重分離Ｂ部１１６に出力する。このトランスポートストリームは、複数のストリーム、およびセクションを含んでいる。そこで多重分離Ｂ部１１６は、入力されたトランスポートストリームから、複数のストリーム、およびセクションを分離する。【００６２】  多重分離Ａ部１０３は、トランスポートストリームから分離したセクションをシステム制御部１０５に出力する。多重分離Ｂ部１１６も、トランスポートストリームから分離したセクションをシステム制御部１０５に出力する。これらのセクションは、いずれも、ＳＩ（Ｓｅｒｖｉｃｅ  Ｉｎｆｏｒｍａｔｉｏｎ）情報を含んでいる。そこでシステム制御部１０５は、入力されたセクションに含まれるＳＩ情報から、電子番組表（ＥＰＧ、Ｅｌｅｃｔｒｏｎｉｃ  Ｐｒｏｇｒａｍ  Ｇｕｉｄｅ）を生成する。【００６３】  多重分離Ａ部１０３は、複数のストリームをストリーム選択部１１９に出力する。多重分離Ｂ部１１６も、複数のストリームをストリーム選択部１１９に出力する。ストリーム選択部１１９は、入力される複数のストリームのうち、論理的に隣接する連続した２つの番組に対応する２つのストリームを選択する。ストリーム選択部１１９は、２つのストリームの一方をデコーダＡ部１０４に出力し、もう一方をデコーダＢ部１２０に出力する。このとき、ストリーム選択部１１９は、システム制御部１０５からの指示に基づく。また、デコーダＡ部１０４に出力すべき音声ストリームおよび映像ストリームを、デコーダＡ部１０４に出力する。また、デコーダＢ部１２０に出力すべき音声ストリームおよび映像ストリームを、デコーダＢ部１２０へ出力する。【００６４】  デコーダＡ部１０４は、入力された音声ストリームおよび映像ストリームを復号化することによって、映像信号および音声信号を生成し、番組選択部１２１に出力する。デコーダＢ部１２０は、入力された映像ストリームおよび映像ストリームを復号化することによって、映像信号および音声信号を生成し、番組選択部１２１に出力する。番組選択部１２１は、デコーダＡ部１０４およびデコーダＢ部１２０から入力された、２つの映像信号と音声信号の組から、どちらか一方の組を選択する。このとき、番組選択部１２１は、システム制御部１０５からの指示にしたがい、どの組を選択するのかを決定する。番組選択部１２１は、映像信号を映像処理部１０９へ出力し、音声信号を音声処理部１０７へ出力する。【００６５】  音声処理部１０７は、入力される音声信号をそのまま音声出力部１０８に出力する。音声出力部１０８は、入力された第１ストリームを、デジタル放送受信装置１に接続されている他の装置に出力する。映像処理部１０９は、入力される映像信号を映像合成部１１０に出力する。このとき、映像合成部１１０には、ＯＳＤ表示部１１１から、ＯＳＤ（Ｏｎ  Ｓｃｒｅｅｎ  Ｄｉｓｐｌａｙ）表示が入力される。そこで映像処理部１０９は、入力された第２ストリームおよびＯＳＤ表示を合成し、映像出力部１１２に出力する。映像出力部１１２は、ＯＳＤ表示が合成された第２ストリームを、デジタル放送受信装置１に接続されている他の装置に出力する。【００６６】  本発明のデジタル放送受信装置１は、ユーザインターフェースとして、リモコン１１３を備えている。視聴者は、リモコン１１３を操作し、デジタル放送受信装置１に、どの番組を出力するのかを指示する。リモコン１１３は、視聴者による操作に基づき、視聴者が押下したキーを表すＩＲ信号を生成し、デジタル放送受信装置１に出力する。【００６７】  デジタル放送受信装置１では、リモコン１１３が出力したＩＲ信号を、ＩＲ受信部１１４が受信する。ＩＲ受信部１１４は、受信したＩＲ信号をデジタル信号に変更する。また、変更したデジタル信号をシステム制御部１０５に出力する。【００６８���  システム制御部１０５は、リモコン１１３を通じた視聴者による指示にしたがう。すなわち、システム制御部１０５は、ＩＲ受信部１１４から入力されたデジタル信号にしたがい、上述した各部材を制御する。具体的には、システム制御部１０５は、チューナＡ部１０２およびチューナＢ部１１５に対して、どのチャンネルの放送波を復調するのかを指示する。さらに、ストリーム選択部１１９に対して、どのストリームを選択するのかを指示する。さらに、番組選択部１２１に対して、どの番組を選択するのかを指示する。【００６９】  システム制御部１０５は、多重分離Ａ部１０３および多重分離Ｂ部１１６から入力されたセクションを処理する。上述したように、システム制御部１０５は、セクションを処理することによって電子番組表を生成する。また、システム制御部１０５は、セクションから各番組の番組情報を取得する。システム制御部１０５は、これらの取得した電子番組表等を記憶部１０６に格納する。【００７０】  記憶部１０６は、放送が流れているチャンネルの周波数などを、あらかじめ定義しているチャンネル情報テーブルを格納する。さらに、チャンネル管理部１１８が使用する番組情報テーブル、チャンネル切替リスト、および番組切替リストも格納する。【００７１】  チャンネル管理部１１８は、チャンネル情報テーブル、番組情報テーブル、チャンネル切替リストおよび番組切替リストを使用する。これにより、チャンネル管理部１１８は、チューナＡ部１０２およびチューナＢ部１１５に設定する周波数を決定する。さらに、ストリーム選択部１１９が選択するストリームを決定する。さらに、番組選択部１２１が選択する番組を決定する。チャンネル管理部１１８が決定する各項目を使用することによって、システム制御部１０５が、チューナＡ部１０２、チューナＢ部１１５、ストリーム選択部１１９および番組選択部１２１に指示する。【００７２】  デジタル放送受信装置１における番組切り替えの動作について、以下に、図２〜図１２を参照して説明する。【００７３】  まず、デジタル放送受信装置１が使用するチャンネル情報テーブルの構成について、図２を参照して以下に説明する。図２は、本発明の第１の実施形態に係るデジタル放送受信装置１が使用するチャンネル情報テーブルの構成例を示す図である。図２に示すように、チャンネル情報テーブルは２つの構成要素からなる。一つはチャンネル番号２０１であり、もう一つはチャンネル周波数パラメータ２０２（「チャンネル周波数設定パラメータ」とも呼称する）である。チャンネル番号２０１は、デジタル放送波に含まれる各チャンネルを表す番号である。このチャンネル番号２０１の値は、システム制御部１０５およびチャンネル管理部１１８が使用するのに都合のよい値であればよい。すなわち、チャンネルの周波数に対応する任意の番号であればよい。たとえば、図２に示すチャンネル情報テーブルでは、チャンネル番号２０１は、「０」から始まり１つずつ増加する通し番号となっている。このような通し番号は、あらかじめ、チャンネル情報テーブルにおいて定義されていればよい。【００７４】  チャンネル周波数パラメータ２０２は、あるチャンネル番号２０１のチャンネルを、チューナＡ部１��２およびチューナＢ部１１５が復調するための周波数を表す。チャンネル管理部１１８は、チャンネル番号２０１の周波数を、復調するチャンネルの周波数として、チューナＡ部１０２およびチューナＢ部１１５に設定する。チャンネル情報テーブルにおけるチャンネル周波数パラメータ２０２は、実際に流れているデジタル放送波を受信するための値であればよい。あるいは、デジタル放送波が流れる予定のチャンネルを受信するための値であればよい。たとえば、図２に示すチャンネル情報テーブルでは、チャンネル番号２０１が「ｎ」のチャンネルに対して、チャンネル周波数パラメータ２０２は「ｆ＿ｎ」となる。【００７５】  デジタル放送受信装置１では、チャンネル情報テーブルはあらかじめ記憶部１０６に格納される。なお、チャンネル情報テーブルに格納される値は、図示しない入力部を通じて、視聴者が入力する値であってもよい。さらに、デジタル放送受信装置１が、自律的に取り込んだ値に基づき、チャンネル情報テーブルに値を書き込んでもよい。【００７６】  次に、デジタル放送受信装置１が使用する番組情報テーブルの構成について、図３を参照して以下に説明する。図３は、本発明の第１の実施形態に係るデジタル放送受信装置１が使用する番組情報テーブルの構成例を示す図である。この図に示すように、番組情報テーブルは５つの構成要素からなる。第１の要素はチャンネル番号２０１である。第２の要素はＵＰ境界フラグ２１１である。第３の要素はＤＯＷＮ境界フラグ２１２である。第４の要素は番組番号２１３である。第５の要素は番組情報２１４である。【００７７】  番組切替リストのチャンネル番号２０１は、チャンネル情報テーブルのチャンネル番号２０１と同一である。これにより、番組情報テーブルとチャンネル情報テーブルとは、同一のチャンネル番号２０１を共有している。すなわち、番組情報テーブルとチャンネル切替リストとは、共通のチャンネル番号２０１によって互いに関連づけられている。【００７８】  デジタル放送においては、１つのチャンネルに複数の番組を放送できる。したがって、番組情報テーブルにおけるチャンネル番号２０１と、番組の番号とは、１対１に対応するとは限らない。そこで番組情報テーブルは、チャンネル番号２０１に加えて、各チャンネルに含まれる番組の番号を表す番組番号２１３を要素として含んでいる。この番組番号２１３は、チャンネル番号２０１と同様に、システム制御部１０５およびチャンネル管理部１１８が使用するのに都合のよい番号であればよい。【００７９】  番組情報テーブルに含まれる番組情報２１４は、システム制御部１０５が、セクションから取得したＳＩ情報に基づき取得する情報である。システム制御部１０５は、取得する各番組情報２１４を、番組情報テーブルに格納する。あるいは、システム制御部１０５は、記憶部１０６において、番組情報テーブルが格納される領域とは異なる領域に、番組情報を格納してもよい。番組情報テーブルに含まれる場合、番組情報２１４は、システム制御部１０５が格納する番組情報へのポインタであってもよい。【００８０】  デジタル放送受信装置１は、番組情報テーブルを使用することによって、チャンネルを効率的に変更する。このために、番��情報テーブルは、ＵＰ境界フラグ２１１およびＤＯＷＮ境界フラグ２１２を含んでいる。ＵＰ境界フラグ２１１は、１つのチャンネルにおいて、最も大きい番組番号２１３に対応する。ＤＯＷＮ境界フラグ２１２は、１つのチャンネルにおいて、最も小さい番組番号２１３に対応する。【００８１】  システム制御部１０５は、１つのチャンネルにおいて最も大きい番組番号２１３のＵＰ境界フラグ２１１を、「１」に設定する。また、１つのチャンネルにおいて最も小さい番組番号２１３のＤＯＷＮ境界フラグ２１２を、「１」に設定する。そのため、１つのチャンネルが１つの番組のみを含むとき、システム制御部１０５は、ＵＰ境界フラグ２１１およびＤＯＷＮ境界フラグ２１２の両方に「１」を設定する。【００８２】  番組情報テーブルにおける番組番号２１３の値の大小は、図３に示す例とは逆のものであってもよい。すなわち、デジタル放送受信装置１は、より小さい番号のチャンネルに、より大きい番号の番組番号２１３を設定してもよい。いずれの場合でも、全てのチャンネルにおいて、共通する同一の規則にしたがい、２つのフラグを設定すればよい。【００８３】  番組情報テーブルの具体例について、図３を参照して以下に説明する。この図に示すように、チャンネル番号２０１がｎ−１のチャンネルには、番組が３つある。このとき、３つの番組に対応する３つの番組番号２１３の値は、それぞれ、ｍ−４、ｍ−３、およびｍ−２となる。チャンネル番号２０１がｎ−１のチャンネルにおいて、番組番号２１３が最大となるｍ−２番の番組では、ＵＰ境界フラグ２１１に「１」が設定される。チャンネル番号２０１がｎ−１のチャンネルにおいて、番組番号２１３が最小となるｍ−４番の番組では、ＤＯＷＮ境界フラグ２１２に「１」が設定される。一方、チャンネル番号２０１がｎ−１のチャンネルにおいて、番組番号２１３が最大でも最小でもないｍ−３番の番組では、ＵＰ境界フラグ２１１およびＤＯＷＮ境界フラグ２１２のいずれも「１」ではなく「０」が設定される。【００８４】  上述したように、チャンネル情報テーブルおよび番組情報テーブルは、いずれも、チャンネル管理部１１８から参照されるのみである。ここで、上述したように、チャンネル管理部１１８は、チューナＡ部１０２およびチューナＢ部１１５に設定する周波数を決定する。さらに、ストリーム選択部１１９が選択するストリームを決定する。さらに、番組選択部１２１が選択する番組を決定する。これら３つの、チャンネル管理部１１８が直接実行するタスクに、チャンネル情報テーブルおよび番組情報テーブルは使用されない。【００８５】  チャンネル管理部１１８は、チャンネル情報テーブルおよび番組情報テーブルの２つのテーブルを参照して、チャンネル切替リストおよび番組切替リストを更新する。これにより、チャンネル管理部１１８は、チャンネル切替リストおよび番組切替リストを使用することによって、チューナＡ部１０２およびチューナＢ部１１５に設定する周波数を決定し、ストリーム選択部１１９に設定するストリームを決定し、番組選択部１２１に設定する番組を決定する。【００８６】  次に、チャンネル切替リストの詳細について、図４を参照して以下に説明する。図４は、本発明��第１の実施形態に係るデジタル放送受信装置１が使用するチャンネル切替リストの構成例を示す図である。この図に示すチャンネル切替リストは、チャンネル管理部１１８が、チューナＡ部１０２およびチューナＢ部１１５に設定する周波数を決定する際に使用するものである。【００８７】  図４に示すように、チャンネル切替リストは３つの構成要素からなる。第１の要素はチャンネル番号２０１であり、第２の要素は割当チューナ番号２２１であり、第３の要素はチャンネル状態２２２である。チャンネル切替リストに含まれるチャンネル番号２０１は、チャンネル情報テーブルに含まれるチャンネル番号２０１と同一の値を取る。すなわち、チャンネル切替リストとチャンネル情報テーブルとは、同一のチャンネル番号２０１を共有している。チャンネル切替リストにおいて、チャンネル番号２０１は、割当チューナ番号２２１およびチャンネル状態２２２に関連づけられている。割当チューナ番号２２１は、チャンネルをチューナＡ部１０２またはチューナＢ部１１５のいずれに設定するのかを表す。チャンネル状態２２２は、映像出力部１１２、音声出力部１０８および映像出力部１１２が出力している、現在の番組が、どのチャンネルにおいて放送されているかを表す。【００８８】  図４を参照して、チャンネル切替リストに格納される具体的な値の例を説明する。この図に示すように、チャンネル番号２０１が「ｎ」であるチャンネルでは、割当チューナ番号２２１が「１」である。このことは、チャンネル情報テーブルから参照されるｎ番目のチャンネルが、チューナ１に設定されることを表す。また、このチャンネルでは、チャンネル状態２２２が「０」である。このことは、デジタル放送受信装置１が、ｎチャンネルに含まれるある番組を出力していることを表す。【００８９】  また、チャンネル番号２０１が「ｎ＋１」であるチャンネルでは、割当チューナ番号２２１が「０」である。このことは、チャンネル情報テーブルから参照されるｎ＋１番目のチャンネルが、チューナ０に設定されることを表す。また、このチャンネルでは、チャンネル状態２２２が「１」である。このことは、デジタル放送受信装置１が、ｎ＋１チャンネルに含まれる番組を、現在出力していないことを表す。【００９０】  チャンネル切替リストでは、割当チューナ番号２２１の値が、どのチューナを示すのが、あらかじめ定められている。本実施形態では、「０」はチューナＡ部１０２を示し、「１」はチューナＢ部１１５を示す。このルールに基づき、システム制御部１０５は、チューナＡ部１０２にｎ＋１チャンネルの周波数を設定する。また、チューナＢ部１１５に、ｎチャンネルの周波数を設定する。なお、このようなチャンネル割当のルールは、これに限るものではない。【００９１】  次に、番組切替リストについて、図５を参照して以下に説明する。図５は、本発明の第１の実施形態に係るデジタル放送受信装置１が使用する番組切替リストの構成例を示す図である。この図に示すように、番組切替リストは４つの構成要素からなる。第１の要素は、番組番号２１３である。第２の要素は、ＵＰ境界フラグ２１１である。第３の要素は、ＤＯＷＮ境界フラグ２１２である。第４の要素は、ストリーム状態２３���である。【００９２】  これらのうち、番組番号２１３、ＵＰ境界フラグ２１１、およびＤＯＷＮ境界フラグ２１２は、番組情報テーブルから取得できる。したがって、これらの値は、番組情報テーブルに格納される各値と同一の値を取る。第４の要素となるストリーム状態２３１は、対応する番組が、現在、音声出力部１０８および映像出力部１１２から出力されているか否かを表す。【００９３】  図５に示す例では、番組番号２１３が「ｍ」である番組のストリーム状態２３１は「０」である。このことは、デジタル放送受信装置１が、現在、番組番号２１３が「ｍ」である番組を出力していることを表す。また、ｍ番の番組よりも１つ大きい番組では、番組番号２１３は「ｍ＋１」である。このｍ＋１番の番組では、ストリーム状態２３１が「１」である。すなわち、ストリーム状態２３１が「１」であることは、この番組が、現在の番組よりも１つ大きい番組であることを表す。【００９４】  また、ｍ番の番組よりも１つ小さい番組では、番組番号２１３は、ｍ−１である。このｍ＋１番の番組では、ストリーム状態２３１が「３」である。すなわち、ストリーム状態２３１が「３」であることは、この番組が、現在の番組よりも１つ小さい番組であることを表す。なお、これら３つのいずれにも当てはまらない番組のストリーム状態２３１は、「２」である。すなわち、ストリーム状態２３１が「２」であることは、この番組が、現在の番組でもなく、現在の番組の次の番組でもなく、現在の番組の前の番組でもないことを表す。【００９５】  システム制御部１０５は、番組切替リストのストリーム状態２３１に基づきストリーム選択部１１９を制御する。具体的には、システム制御部１０５は、特定の２つのストリーム状態２３１が設定される２つのストリームの組を、デコーダＡ部１０４およびデコーダＢ部１２０に出力するように、ストリーム選択部１１９に指示する。このとき、システム制御部１０５は、番組切替リストのストリーム状態２３１が「０」と「１」の組み合わせのストリーム、または、「０」と「３」の組み合わせのストリームを、ストリーム選択部１１９に指示する。【００９６】  システム制御部１０５は、視聴者によるキー操作に基づき、ストリーム選択部１１９に指示するストリーム状態２３１の組み合わせを決定する。たとえば、視聴者がチャンネルアップキーを押下する場合、チャンネル管理部１１８は、「０」と「１」の組を決定する。逆に、視聴者がチャンネルダウンキーを押下する場合、チャンネル管理部１１８は、「０」と「３」の組を決定する。【００９７】  なお、初期状態の番組切替リストでは、チャンネル状態２２２が「０」であるチャンネルのストリーム状態２３１が「０」であればよい。または、チャンネル状態２２２が「０」である複数のチャンネルのストリーム状態２３１のうち、いずれか１つが「０」であればよい。【００９８】  システム制御部１０５は、番組切替リストに基づき、番組選択部１２１を制御する。このとき、番組切替リストは、システム制御部１０５からの制御に基づき、ストリーム状態２３１が「０」である番組を音声出力部１０８および映像出力部１１２に出力する。【００９９】  番組切替リストは、チューナＡ部１０２が取得した番組と、チューナＢ部１１５が取得した番組とを合計した数に相当する深さを有する。ここでいう「深さ」とは、番組切替リストに含まれる番組の数を意味する。図５に示す例では、番組切替リストは、ｎチャンネルに含まれる２つの番組（ｍ−１とｍ）と、ｎ＋１チャンネルに含まれる１つの番組（ｍ＋１）を合計した、「３」の深さを有する。このように、チャンネル切替リストに含まれる２つのチャンネルが、いずれも、複数の番組を含んでいる状況も起こりうる。したがって、番組切替リストの深さは動的に変化する。【０１００】  一方、チャンネル切替リストは、デジタル放送受信装置１が備えるチューナの数に相当する深さを有する。ここでいう「深さ」とは、チャンネル切替リストに含まれるチャンネルの数を意味する。したがって、チャンネル切替リストの深さは動的に変化することなく、常に一定となる。上述したように、デジタル放送受信装置１は、チューナＡ部１０２およびチューナＢ部１１５という、２つのチューナを有する。これにより、図４に示すチャンネル切替リストでは、その深さは「２」となる。【０１０１】  チャンネル管理部１１８は、チャンネル切替リストおよび番組切替リストに基づき、上述したタスクを実行する。そこで、以下に、視聴者がリモコン１１３を操作してチャンネルアップキーを押下する場合に、チャンネル管理部１１８がどのように動作するかについて、図６〜図９に示すフローチャートを参照して以下に説明する。【０１０２】  まず、視聴者がリモコン１１３を操作して、チャンネルアップキーまたはチャンネルダウンキーを押下するときに、デジタル放送受信装置１がどのように動作するかについて、図６を参照して以下に説明する。図６は、本発明の第１の実施形態および第２の実施形態に係るデジタル放送受信装置１が、現在の番組を次の番組または前の番組に切り替える際の処理の流れを示すフローチャートである。【０１０３】  この図に示すように、視聴者はリモコン１１３を操作することによって、チャンネルアップキーまたはチャンネルダウンキーを押下する（ステップＳ６１）。これにより、リモコン１１３は、視聴者が操作したキーに応じて、ＩＲ信号を生成し、デジタル放送受信装置１に送信する。デジタル放送受信装置１では、ＩＲ受信部１１４がＩＲ信号を受信し、このＩＲ信号からデジタル信号を生成することによって、チャンネル管理部１１８に出力する。チャンネル管理部１１８は、入力されたデジタル信号が、チャンネルアップキーが押下されたことを示す信号であるか否かを判定する（ステップＳ６２）。判定結果が「真」である場合、デジタル放送受信装置１は、現在の番組の次の番組を選択する（ステップＳ６３）。【０１０４】  一方、ステップＳ６２における判定結果が「偽」である場合、チャンネル管理部１１８は、入力されたデジタル信号が、チャンネルダウンキーが押下されたことであるか否かを判定する（ステップＳ６４）。判定結果が「真」である場合、チャンネル管理部１１８は、現在の番組の前の番組を選択する（ステップＳ６５）。チャンネル管理部１１８は、入力されたデジタル信号が、チャンネルアップキーまたはチャンネルダウンキーを示す信号でないと判定すると、処理を終了する。【��１０５】  次に、視聴者がリモコン１１３のチャンネルアップキーを押下する場合における、デジタル放送受信装置１の動作を、図７を参照して以下に説明する。図７は、本発明の第１の実施形態に係るデジタル放送受信装置１が、現在の番組の次の番組を選択する際の処理の流れを示すフローチャートである。この図に示すように、視聴者がチャンネルアップキーを押下する（ステップＳ７１）。このとき、チャンネル管理部１１８は、チャンネル切替リストおよび番組切替リストの状態をチェックする（ステップＳ７２）。【０１０６】  まず、番組切替リストのチェック処理について、図８を参照して以下に説明する。図８は、本発明の第１の実施形態に係るデジタル放送受信装置１が、番組切替リストをチェックする際の処理の流れを示すフローチャートである。【０１０７】  この図に示すように、番組切替リストのチェック処理を開始すると、チャンネル管理部１１８は、まず、番組切替リストにおいて、ストリーム状態２３１が「１」である番組が存在するか否かを判定する（ステップＳ８１）。判定結果が「真」である場合、チャンネル管理部１１８は、処理を終了し、図７に示す次のステップ（ステップＳ７３）を開始する。一方、判定結果が「偽」である場合、チャンネル管理部１１８は、チャンネル切替リストから、チャンネル状態２２２が「３」であるチャンネルを検索する。チャンネル管理部１１８は、このチャンネルの割当チューナ番号２２１に基づき、チューナＡ部１０２またはチューナＢ部１１５のいずれに指示すべきかを決定する。たとえば、割当チューナ番号２２１が「０」である場合、チャンネル管理部１１８は、チューナＡ部１０２に指示する。一方、割当チューナ番号２２１が「１」である場合、チャンネル管理部１１８は、チューナＢ部１１５に指示する。【０１０８】  このとき、チャンネル管理部１１８は、チャンネル情報テーブルから、チャンネル状態２２２が「０」であるチャンネルを検索する。これにより、チャンネル管理部１１８は次のチャンネルを決定する。たとえば、チャンネル状態２２２が「０」であるチャンネルのチャンネル番号２０１が「ｎ」である場合、チャンネル管理部１１８は、ｎの次であるｎ＋１のチャンネルを決定する。【０１０９】  次にチャンネル管理部１１８は、チャンネル情報テーブルから、次のチャンネルのチャンネル周波数パラメータ２０２の値を読み出す。たとえば、チャンネル管理部１１８は、「ｎ＋１」チャンネルのチャンネル周波数パラメータ２０２である「ｆ＿ｎ＋１」を読み出す。これにより、チャンネル管理部１１８は、この周波数であるｆ＿ｎ＋１を、チューナＡ部１０２またはチューナＢ部１１５に設定する（ステップＳ８２）。さらに、チャンネル管理部１１８は、チャンネル切替リストにおける、新たなチャンネルのチャンネル状態２２２を「１」に設定する（ステップＳ８３）。【０１１０】  チャンネル管理部１１８は、チューナＡ部１０２またはチューナＢ部１１５に、新たなチャンネル周波数パラメータ２０２を設定する。このとき、チューナＡ部１０２に始まり多重分離Ａ部１０３を経由する受信処理系統から、セクションが出力される。チューナＢ部１１５に始まり多重分離Ｂ部１１６を経由する受信��理系統からも、セクションが出力される。そこで、システム制御部１０５は、チャンネル切替リストにおいてチャンネル状態２２２を新たに「１」に設定したチャンネルを処理する受信処理系統のいずれかから、セクションを取得する。システム制御部１０５は、取得したセクションから、ＳＩ情報を含む番組情報を取得する。チャンネル管理部１１８は、取得した番組情報を、番組情報テーブルにおける番組情報２１４に書き込む。これにより、チャンネル管理部１１８は、番組情報テーブルを更新する。【０１１１】  チャンネル管理部１１８は、更新される番組情報テーブルを参照することによって、番組切替リストを更新する（ステップＳ８４）。さらに、チャンネル管理部１１８は、新たに取得した番組の番組番号２１３をチェックする。これにより、チャンネル管理部１１８は、新たに取得した番組の番組番号２１３のうち、最小の番号を特定する。チャンネル管理部１１８は、番組切替リストにおいて、最小の番組番号２１３を有するチャンネルのストリーム状態２３１を「１」に設定する（ステップＳ８５）。【０１１２】  以上のように、仮に視聴者が、チャンネルダウンキーを押下することによって番組を選択したあと、チャンネルアップキーを押下する場合であっても、デジタル放送受信装置１は、番組切替リストおよびチャンネル切替リストの値を正常に保つことができる。したがって、チューナＡ部１０２およびチューナＢ部１１５に、誤った周波数を設定することを防止できる。【０１１３】  図８に示すフローが終了したあと、チャンネル管理部１１８は、図７に示すステップＳ７３の処理を進める。すなわち、チャンネル管理部１１８は、番組切替リストに含まれる各ストリーム状態２３１を、図５に示すように、ストリーム状態ＵＰ方向にシフトする（ステップＳ７３）。具体的には、チャンネル管理部１１８は、ストリーム状態２３１が「１」であれば「０」に変更する。ストリーム状態２３１が「０」であれば「３」に変更する。ストリーム状態２３１が「３」であれば「２」に変更する。【０１１４】  次に、システム制御部１０５は、番組切替リストを検索することによって、ストリーム状態２３１が新たに「０」に設定される番組を特定する。システム制御部１０５は、当該特定した番組を出力することを、番組選択部１２１に指示する。これにより、番組選択部１２１は、ストリーム状態２３１が新たに「０」に格納される番組を選択し、出力する。【０１１５】  次に、チャンネル管理部１１８は、番組情報テーブルを検索することによって、ストリーム状態２３１が新たに「０」に設定された番組のＵＰ境界フラグ２１１が、「０」であるか否かを判定する（ステップＳ７４）。ここで、判定結果が「真」である場合、チャンネル管理部１１８は、さらに、番組情報テーブルを検索することによって、この番組のＤＯＷＮ境界フラグ２１２が「０」であるか否かを判定する（ステップＳ７５）。【０１１６】  判定結果が「真」である場合、チャンネル管理部１１８は、ストリーム状態２３１を新たに「０」に設定した番組は、デジタル放送受信装置１が現在出力しているチャンネルに含まれていると判定する。一方、判定結果が「偽」である場合、チャンネル管理部１１８は、ス��リーム状態２３１が新たに「０」に設定した番組は、デジタル放送受信装置１が現在出力しているチャンネルに含まれていないと判定する。これにより、チャンネル管理部１１８は、チャンネル切替リストのチャンネル状態２２２を、図４に示すチャンネル状態ＵＰ方向にシフトする（ステップＳ７７）。具体的には、チャンネル管理部１１８は、チャンネル状態２２２が「１」であれば「０」に設定する。また、チャンネル状態２２２が「０」であれば「２」に設定する。【０１１７】  次に、チャンネル管理部１１８は、番組切替リストを検索することによって、ストリーム状態２３１が新たに「０」に設定される番組の次の番組の番組番号２１３を特定する。これにより、チャンネル管理部１１８は、特定した番組番号２１３に基づき、番組情報テーブルを検索することによって、次の番組のストリーム状態２３１を「１」に設定する（ステップＳ７８）。一方、Ｓ７４における判定結果が「偽」である場合、すなわちＵＰ境界フラグ２１１が「１」であると判定する場合、チャンネル管理部１１８は、現在の番組が含まれるチャンネルに、より番組番号２１３が大きい番組が含まれていないと判定する。そこで、デジタル放送受信装置１は、現在の番組の次の番組を準備しなければならない。このために、デジタル放送受信装置１は、現在の番組の次の番組を含んでいるチャンネルを、受信する必要がある。【０１１８】  なお、チャンネル管理部１１８は、新たにストリーム状態２３１が「０」になった番組のＵＰ境界フラグ２１１が「１」であると判定する場合（ステップＳ７４においてＮｏ）、チャンネルの変更処理を実行する。そこで、このチャンネル変更処理について、図９を参照して以下に説明する。図９は、本発明の第１の実施形態に係るデジタル放送受信装置１が、現在のチャンネルを次にチャンネルに切り替える際の処理の流れを示すフローチャートである。【０１１９】  この図に示すように、チャンネル管理部１１８は、新たにストリーム状態２３１が「０」になった番組のＤＯＷＮ境界フラグ２１２が、「０」であるか否かを判定する（ステップＳ９１）。ＤＯＷＮ境界フラグ２１２が「０」であると判定する場合、チャンネル管理部１１８は、この番組が、現在出力しているチャンネル内に含まれていると判定する。一方、ＤＯＷＮ境界フラグ２１２が「１」であると判定する場合、チャンネル管理部１１８は、この番組が、現在出力しているチャンネルに含まれていないと判定する。したがって、チャンネル管理部１１８は、チャンネル切替リストにおけるチャンネル状態２２２を、図４に示すチャンネル状態ＵＰ方向にシフトする（ステップＳ９２）。具体的には、チャンネル管理部１１８は、ストリーム状態２３１が「１」であれば、「０」に変更する。また、ストリーム状態２３１が「０」であれば、「１」に変更する。【０１２０】  次に、チャンネル管理部１１８は、番組情報テーブルの番組番号２１３を検索することによって、番組切替リストの中に、チャンネル切替リストにおいて新たにチャンネル状態２２２が「２」となったチャンネルに含まれる番組が存在するか否かを判定する（ステップＳ９３）。該当する番組が番組切替リストに存在すると判定する場合、チャンネル管理部１１８は、この番組を番組切替リストから削除する（ステップＳ９４）具体的には、チャンネル管理部１１８は、削除すべき番組に定義されている値（番組番号２１３、ＵＰ境界フラグ２１１、ＤＯＷＮ境界フラグ２１２、およびストリーム状態２３１）を、番組切替リストから削除する。一方、チャンネル状態２２２が新たに「２」となったチャンネルに含まれる番組が存在しないと判定する場合、チャンネル管理部１１８は、番組を番組切替リストから削除しない。すなわち、ステップＳ９４における処理をスキップし、次の処理を実行する。【０１２１】  チャンネル管理部１１８は、チャンネル切替リストのチャンネル状態２２２が「２」であるチャンネル番号２０１を、チャンネル状態２２２が「０」であるチャンネルの次のチャンネルに設定する（ステップＳ９５）。さらに、設定したチャンネルのチャンネル状態２２２を、「１」に設定する（ステップＳ９５）。【０１２２】  この例について、図５を参照して以下に詳しく説明する。以下の例では、チャンネル管理部１１８は、ステップＳ７３において、ｍ＋１の番組のストリーム状態２３１を「０」に設定する。このとき、図５に示すように、ｍ＋１の番組のＵＰ境界フラグ２１１は「１」である。そのため、チャンネル管理部１１８は、ステップＳ７４において「偽」の判定を下すため、次に、チャンネルの処理を進める。【０１２３】  このとき、ｍ＋１の番組のＤＯＷＮ境界フラグ２１２も「１」である。そのため、図９のステップＳ９１において、チャンネル管理部１１８は、「Ｎｏ」であると判定する。これにより、チャンネル管理部１１８は、ステップＳ９２において、チャンネル状態２２２をＵＰ方向にシフトする。すなわち、チャンネル管理部１１８は、ｎチャンネルのチャンネル状態２２２を「２」に設定し、ｎ＋１チャンネルのチャンネル状態２２２を「０」に設定する。さらに、チャンネル管理部１１８は、ステップＳ９３およびステップＳ９４において、ｎチャンネルに含まれるｍ番組およびｍ−１番組の情報を、番組切替リストから削除する。【０１２４】  次に、チャンネル管理部１１８は、ステップＳ９４の処理を実行する。このとき、チャンネル管理部１１８は、チャンネル状態２２２を「０」に設定したｎ＋１チャンネルの次のチャンネルを、図２に示すチャンネル情報テーブルを参照して検索する。すなわち、チャンネル管理部１１８は、チャンネル番号２０１がｎ＋２のチャンネルを特定する。これにより、チャンネル切替リストにおいて、現在、「ｎ」であるチャンネル番号２０１の値を、「ｎ＋２」に設定する。さらに、チャンネル切替リストにおいて、ｎ＋２チャンネルのチャンネル状態２２２を、「１」に設定する。【０１２５】  チャンネル切替リストが更新されると、チャンネル管理部１１８は、ｎチャンネルが設定されていたチューナ（すなわち割当チューナ番号２２１が「１」であるチューナ）に設定したチャンネル番号２０１が、「ｎ＋２」になったことを、システム制御部１０５に通知する。これにより、システム制御部１０５は、チャンネル情報テーブルを参照することによって、割当チューナ番号２２１が「１」であるチューナＢ部１１５に、チャンネル番号２０１が「ｎ＋２」であるチャンネ��のチャンネル周波数パラメータ２０２、すなわち「ｆ＿ｎ＋２」を設定する（ステップＳ９６）。【０１２６】  チューナＢ部１１５は、設定したチャンネル周波数パラメータ２０２に基づき、処理するチャンネルを変更する。すなわち、チャンネル管理部１１８は、デジタル放送波から、ｎ＋２チャンネルのトランスポートストリームを抽出し、多重分離Ｂ部１１６に出力する。多重分離Ｂ部１１６は、ｎ＋２チャンネルのトランスポートストリームから、セクションを取得する。チャンネル管理部１１８は、ｎ＋２チャンネルのセクションから、ＳＩ情報等の番組情報を取得する。【０１２７】  システム制御部１０５は、取得した番組情報を使用することによって、番組情報テーブルを更新する。チャンネル管理部１１８は、更新した番組情報テーブルを参照することによって、番組切替リストを更新する（ステップＳ９７）。チャンネル管理部１１８さらには、新たに番組切替リストに追加された番組に対して、番組番号２１３の最も小さな番組番号のストリーム状態２３１を「１」に設定する（ステップＳ９８）。【０１２８】  具体的には、チャンネル管理部１１８は、図３に示す番組情報テーブルから、チャンネル番号２０１がｎ＋２であるチャンネルに含まれる３つの番組の番組情報２１４を取得する。このときチャンネル管理部１１８は、番組番号２１３がｍ＋２、ｍ＋３、ｍ＋４である３つの番組から、ＵＰ境界フラグ２１１、ＤＯＷＮ境界フラグ２１２、および番組番号２１３の各パラメータを取得する。さらに、チャンネル管理部１１８は、取得したパラメータを番組切替リストに追加する。また、チャンネル管理部１１８は、番組番号２１３がｍ＋２である番組のストリーム状態２３１を、「１」に設定する。さらに、番組番号２１３がｍ＋３である番組のストリーム状態２３１を、「２」に設定する。さらに、番組番号２１３がｍ＋４である番組のストリーム状態２３１を、「２」に設定する。【０１２９】  システム制御部１０５は、以上のようにして更新した番組切替リストから、ストリーム状態２３１が「０」である番組と、ストリーム状態２３１が「１」番組とを特定する。これにより、システム制御部１０５は、これら連続した２つの番組のストリームを出力するように、ストリーム選択部１１９に指示する。さらに、システム制御部１０５は、ストリーム状態２３１が新たに「０」になった番組を選択するように、番組選択部１２１に指示する。【０１３０】  次に、視聴者がリモコン１１３のチャンネルダウンキーを押下する場合における、デジタル放送受信装置１の動作を、図１０〜図１２を参照して以下に説明する。図１０は、本発明の第１の実施形態に係るデジタル放送受信装置１が、現在の番組の前の番組を選択する際の処理の流れを示すフローチャートである。この図に示すように、視聴者がチャンネルダウンキーを押下する（ステップＳ１０１）。このとき、システム制御部１０５は、チャンネル切替リストおよび番組切替リストの状態をチェックする（ステップＳ１０２）。【０１３１】  まず、番組切替リストのチェック処理について、図１１を参照して以下に説明する。図１１は、本発明の第１の実施形態に係るデジタル放送受信装置１が、番組切替リストをチェックす��際の処理の流れを示すフローチャートである。【０１３２】  この図に示すように、番組切替リストのチェック処理を開始すると、システム制御部１０５は、まず、番組切替リストにおいて、ストリーム状態２３１が「３」である番組が存在するか否かを判定する（ステップＳ１１１）。判定結果が「真」である場合、システム制御部１０５は、処理を終了し、図１０に示す次のステップ（ステップＳ１０３）を開始する。一方、判定結果が「偽」である場合、システム制御部１０５は、チャンネル切替リストから、チャンネル状態２２２が「３」であるチャンネルを検索する。システム制御部１０５は、このチャンネルの割当チューナ番号２２１に基づき、チューナＡ部１０２またはチューナＢ部１１５のいずれに指示すべきかを決定する。たとえば、割当チューナ番号２２１が「０」である場合、システム制御部１０５は、チューナＡ部１０２に指示する。一方、割当チューナ番号２２１が「１」である場合、システム制御部１０５は、チューナＢ部１１５に指示する。【０１３３】  このとき、システム制御部１０５は、チャンネル情報テーブルから、チャンネル状態２２２が「０」であるチャンネルを検索する。これにより、システム制御部１０５は前のチャンネルを決定する。たとえば、チャンネル状態２２２が「０」であるチャンネルのチャンネル番号２０１が「ｎ」である場合、システム制御部１０５は、ｎの前であるｎ−１のチャンネルを決定する。【０１３４】  次にシステム制御部１０５は、チャンネル情報テーブルから、次のチャンネルのチャンネル周波数パラメータ２０２の値を読み出す。たとえば、システム制御部１０５は、「ｎ−１」チャンネルのチャンネル周波数パラメータ２０２である「ｆ＿ｎ−１」を読み出す。これにより、システム制御部１０５は、この周波数であるｆ＿ｎ−１を、チューナＡ部１０２またはチューナＢ部１１５に設定する（ステップＳ１１２）。さらに、システム制御部１０５は、チャンネル切替リストにおける、新たなチャンネルのチャンネル状態２２２を「３」に設定する（ステップＳ１１３）。【０１３５】  システム制御部１０５は、チューナＡ部１０２またはチューナＢ部１１５に、新たなチャンネル周波数パラメータ２０２を設定する。このとき、チューナＡ部１０２に始まり多重分離Ａ部１０３を経由する受信処理系統から、セクションが出力される。チューナＢ部１１５に始まり多重分離Ｂ部１１６を経由する受信処理系統からも、セクションが出力される。そこで、システム制御部１０５は、チャンネル切替リストにおいてチャンネル状態２２２を新たに「１」に設定したチャンネルを処理する受信処理系統のいずれかから、セクションを取得する。システム制御部１０５は、取得したセクションから、ＳＩ情報を含む番組情報を取得する。システム制御部１０５は、取得した番組情報を、番組情報テーブルにおける番組情報２１４に書き込む。これにより、システム制御部１０５は、番組情報テーブルを更新する。【０１３６】  チャンネル管理部１１８は、更新される番組情報テーブルを参照することによって、番組切替リストを更新する（ステップＳ１１４）。さらに、チャンネル管理部１１８は、新たに取得した番組の番組番号２１３をチェックす���。これにより、チャンネル管理部１１８は、新たに取得した番組の番組番号２１３のうち、最大の番号を特定する。チャンネル管理部１１８は、番組切替リストにおいて、最大の番組番号２１３を有するチャンネルのストリーム状態２３１を「３」に設定する（ステップＳ１１５）。【０１３７】  以上のように、仮に視聴者が、チャンネルアップキーを押下することによって番組を選択したあと、チャンネルダウンキーを押下する場合であっても、デジタル放送受信装置１は、番組切替リストおよびチャンネル切替リストの値を正常に保つことができる。したがって、チューナＡ部１０２およびチューナＢ部１１５に、誤った周波数を設定することを防止できる。【０１３８】  図１１に示すフローが終了したあと、チャンネル管理部１１８は、図１０に示すステップＳ１０３の処理を進める。すなわち、チャンネル管理部１１８は、番組切替リストに含まれる各ストリーム状態２３１を、図５に示すように、ストリーム状態ＤＯＷＮ方向にシフトする（ステップＳ１０３）。具体的には、チャンネル管理部１１８は、ストリーム状態２３１が「３」であれば「０」に変更する。ストリーム状態２３１が「０」であれば「１」に変更する。ストリーム状態２３１が「１」であれば「２」に変更する。【０１３９】  次に、システム制御部１０５は、番組切替リストを検索することによって、ストリーム状態２３１が新たに「０」に設定される番組を特定する。システム制御部１０５は、当該特定した番組を出力することを、番組選択部１２１に指示する。これにより、番組選択部１２１は、ストリーム状態２３１が新たに「０」に格納される番組を選択し、出力する。【０１４０】  次に、チャンネル管理部１１８は、番組情報テーブルを検索することによって、ストリーム状態２３１が新たに「０」に設定された番組のＤＯＷＮ境界フラグ２１２が、「０」であるか否かを判定する（ステップＳ１０４）。ここで、判定結果が「真」である場合、チャンネル管理部１１８は、さらに、番組情報テーブルを検索することによって、この番組のＵＰ境界フラグ２１１が「０」であるか否かを判定する（ステップＳ１０５）。【０１４１】  判定結果が「真」である場合、チャンネル管理部１１８は、ストリーム状態２３１を新たに「０」に設定した番組は、デジタル放送受信装置１が現在出力しているチャンネルに含まれていると判定する。一方、判定結果が「偽」である場合、チャンネル管理部１１８は、ストリーム状態２３１が新たに「０」に設定した番組は、デジタル放送受信装置１が現在出力しているチャンネルに含まれていないと判定する。これにより、チャンネル管理部１１８は、チャンネル切替リストのチャンネル状態２２２を、図４に示すチャンネル状態ＤＯＷＮ方向にシフトする（ステップＳ１０７）。具体的には、チャンネル管理部１１８は、チャンネル状態２２２が「３」であれば「０」に設定する。また、チャンネル状態２２２が「０」であれば「２」に設定する。【０１４２】  次に、チャンネル管理部１１８は、番組切替リストを検索することによって、ストリーム状態２３１が新たに「０」に設定される番組の前の番組の番組番号２１３を特定する。これにより、チャンネル管理部１１８は、特定した番���番号２１３に基づき、番組情報テーブルを検索することによって、前の番組のストリーム状態２３１を「３」に設定する（ステップＳ１０８）。一方、Ｓ１０４における判定結果が「偽」である場合、すなわちＤＯＷＮ境界フラグ２１２が「１」であると判定する場合、チャンネル管理部１１８は、現在の番組が含まれるチャンネルに、より番組番号２１３が小さい番組が含まれていないと判定する。そこで、デジタル放送受信装置１は、現在の番組の前の番組を準備しなければならない。このために、デジタル放送受信装置１は、現在の番組の前の番組を含んでいるチャンネルを、受信する必要がある。【０１４３】  なお、チャンネル管理部１１８は、新たにストリーム状態２３１が「０」になった番組のＤＯＷＮ境界フラグ２１２が「１」であると判定する場合（ステップＳ１０４においてＮｏ）、チャンネルの変更処理を実行する。そこで、このチャンネル変更処理について、図１２を参照して以下に説明する。図１２は、本発明の第１の実施形態に係るデジタル放送受信装置１が、現在のチャンネルを次のチャンネルに切り替える際の処理の流れを示すフローチャートである。【０１４４】  この図に示すように、チャンネル管理部１１８は、新たにストリーム状態２３１が「０」になった番組のＵＰ境界フラグ２１１が、「０」であるか否かを判定する（ステップＳ１２１）。ＵＰ境界フラグ２１１が「０」であると判定する場合、チャンネル管理部１１８は、この番組が、現在出力しているチャンネル内に含まれていると判定する。一方、ＵＰ境界フラグ２１１が「１」であると判定する場合、チャンネル管理部１１８は、この番組が、現在出力しているチャンネルに含まれていないと判定する。したがって、チャンネル管理部１１８は、チャンネル切替リストにおけるチャンネル状態２２２を、図４に示すチャンネル状態ＵＰ方向にシフトする（ステップＳ１２２）。具体的には、チャンネル管理部１１８は、ストリーム状態２３１が「３」であれば、「０」に変更する。また、ストリーム状態２３１が「０」であれば、「２」に変更する。【０１４５】  次に、チャンネル管理部１１８は、番組情報テーブルの番組番号２１３を検索することによって、番組切替リストの中に、チャンネル切替リストにおいて新たにチャンネル状態２２２が「２」となったチャンネルに含まれる番組が存在するか否かを判定する（ステップＳ１２３）。該当する番組が番組切替リストに存在すると判定する場合、チャンネル管理部１１８は、この番組を番組切替リストから削除する（ステップＳ１２４）具体的には、チャンネル管理部１１８は、削除すべき番組に定義されている値（番組番号２１３、ＵＰ境界フラグ２１１、ＤＯＷＮ境界フラグ２１２、およびストリーム状態２３１）を、番組切替リストから削除する。一方、チャンネル状態２２２が新たに「２」となったチャンネルに含まれる番組が存在しないと判定する場合、チャンネル管理部１１８は、番組を番組切替リストから削除しない。すなわち、ステップＳ１２４における処理をスキップし、次の処理を実行する。【０１４６】  チャンネル管理部１１８は、チャンネル切替リストのチャンネル状態２２２が「２」であるチャンネル番号２０１を、チャンネル状態２��２が「０」であるチャンネルの次のチャンネルに設定する（ステップＳ１２５）。さらに、設定したチャンネルのチャンネル状態２２２を、「３」に設定する（ステップＳ１２５）。【０１４７】  この例について、図５を参照して以下に詳しく説明する。以下の例では、チャンネル管理部１１８は、ステップＳ１０３において、ｍ−１の番組のストリーム状態２３１を「０」に設定する。このとき、図５に示すように、ｍ−１の番組のＤＯＷＮ境界フラグ２１２は「１」である。そのため、チャンネル管理部１１８は、ステップＳ１０４において「偽」の判定を下すため、次に、チャンネルの処理を進める。【０１４８】  このとき、ｍ−１の番組のＵＰ境界フラグ２１１も「１」である。そのため、図１２のステップＳ１２１において、チャンネル管理部１１８は、「Ｎｏ」であると判定する。これにより、チャンネル管理部１１８は、ステップＳ１２２において、チャンネル状態２２２をＵＰ方向にシフトする。すなわち、チャンネル管理部１１８は、ｎチャンネルのチャンネル状態２２２を「２」に設定し、ｎ−１チャンネルのチャンネル状態２２２を「０」に設定する。さらに、チャンネル管理部１１８は、ステップＳ１２３およびステップＳ１２４において、ｎチャンネルに含まれるｍ番組およびｍ−１番組の情報を、番組切替リストから削除する。【０１４９】  次に、チャンネル管理部１１８は、ステップＳ１２５における処理を実行する。このとき、チャンネル管理部１１８は、チャンネル状態２２２が「０」に設定されているｎチャンネルの前のチャンネルを、図２に示すチャンネル情報テーブルを参照して検索する。すなわち、チャンネル管理部１１８は、チャンネル番号２０１がｎ−１のチャンネルを特定する。これにより、チャンネル切替リストにおいて、現在、「ｎ＋１」であるチャンネル番号２０１の値を、「ｎ−１」に設定する。さらに、チャンネル切替リストにおいて、ｎ−１チャンネルのチャンネル状態２２２を、「３」に設定する。【０１５０】  チャンネル切替リストが更新されると、チャンネル管理部１１８は、ｎ＋１チャンネルが設定されていたチューナ（すなわち割当チューナ番号２２１が「０」であるチューナ）に設定したチャンネル番号２０１が、「ｎ−２」になったことを、システム制御部１０５に通知する。これにより、システム制御部１０５は、チャンネル情報テーブルを参照することによって、割当チューナ番号２２１が「０」であるチューナＡ部１０２に、チャンネル番号２０１が「ｎ−２」であるチャンネルのチャンネル周波数パラメータ２０２、すなわち「ｆ＿ｎ−２」を設定する（ステップＳ１２６）。【０１５１】  チューナＡ部１０２は、設定したチャンネル周波数パラメータ２０２に基づき、処理するチャンネルを変更する。すなわち、チューナＡ部１０２は、デジタル放送波から、ｎ＋２チャンネルのトランスポートストリームを抽出し、多重分離Ａ部１０３に出力する。多重分離Ａ部１０３は、ｎ＋２チャンネルのトランスポートストリームから、セクションを取得する。システム制御部１０５は、ｎ＋２チャンネルのセクションから、ＳＩ情報等の番組情報を取得する。【０１５２】  システム制御部１０５は、取得した番組情報を使用することによ��て、番組情報テーブルを更新する。チャンネル管理部１１８は、更新した番組情報テーブルを参照することによって、番組切替リストを更新する（ステップＳ１２７）。チャンネル管理部１１８さらには、新たに番組切替リストに追加された番組に対して、番組番号２１３の最も大きな番組番号のストリーム状態２３１を「３」に設定する（ステップＳ１２８）。【０１５３】  具体的には、チャンネル管理部１１８は、図３に示す番組情報テーブルから、チャンネル番号２０１がｎ−１であるチャンネルに含まれる３つの番組の番組情報２１４を取得する。このときチャンネル管理部１１８は、番組番号２１３がｍ−２、ｍ−３、ｍ−４である３つの番組から、ＵＰ境界フラグ２１１、ＤＯＷＮ境界フラグ２１２、および番組番号２１３の各パラメータを取得する。さらに、チャンネル管理部１１８は、取得したパラメータを番組切替リストに追加する。また、チャンネル管理部１１８は、番組番号２１３がｍ−２である番組のストリーム状態２３１を、「３」に設定する。さらに、番組番号２１３がｍ−３である番組のストリーム状態２３１を、「２」に設定する。さらに、番組番号２１３がｍ−４である番組のストリーム状態２３１を、「２」に設定する。【０１５４】  システム制御部１０５は、以上のようにして更新した番組切替リストから、ストリーム状態２３１が「０」である番組と、ストリーム状態２３１が「３」である番組とを特定する。これにより、システム制御部１０５は、これら連続した２つの番組のストリームを出力するように、ストリーム選択部１１９に指示する。さらに、システム制御部１０５は、ストリーム状態２３１が新たに「０」になった番組を選択するように、番組選択部１２１に指示する。【０１５５】  従来技術のデジタル放送受信装置では、番組を選択するときに要する信号処理時間が、アナログ放送受信機が番組を選択するときに要する時間より長くなる。これは、デジタル放送波を復調してトランスポートストリームを生成する時間（チューナＡ部１０２またはチューナＢ部１１５において要する時間）と、トランスポートストリームを多重分離して復号化する時間（多重分離Ａ部１０３または多重分離Ｂ部１１６と、ストリーム選択部１１９と、デコーダＡ部１０４またはデコーダＢ部１２０において要する時間）とが、合計して約１秒になるからである。この時間は、アナログ放送受信機における信号処理時間に比べて、十分に長い。【０１５６】  しかし、本発明のデジタル放送受信装置１では、新たにストリーム状態２３１が「０」に設定されるストリームは、視聴者がチャンネルアップキーを押下することによって番組を選択する時には、ストリーム状態２３１が「１」であったときの現在の番組の候補である。あるいは、視聴者がチャンネルダウンキーを押下することによって番組を選択する時には、ストリーム状態２３１が「３」であったときの次の番組の候補である。これらは、デコーダＡ部１０４またはデコーダＢ部１２０において、あらかじめ復号化されている。【０１５７】  したがって、視聴者がチャンネルアップキーまたはチャンネルダウンキーを押下することによって番組を選択するとき、デジタル放送受信装置１は、あらかじめ復号化されているスト���ームを５０％の確率で出力できる。これにより、従来技術のデジタル放送受信装置１において発生する、デジタル放送特有の信号処理時間は、本発明のデジタル放送受信装置１では発生する可能性が減少する。したがって、デジタル放送受信装置１は、視聴者にストレスを感じさせることなく、番組を、アナログ放送受信機とほぼ同様に速さで選択できる。【０１５８】  〔実施形態２〕
本発明の第２の実施形態について、図１３〜図１７を参照して以下に説明する。まず、本実施形態のデジタル放送受信装置２について、図１３を参照して以下に説明する。図１３は、本発明の第２の実施形態に係るデジタル放送受信装置１の構成例を示す機能ブロック図である。この図に示すデジタル放送受信装置２の構成は、基本的に、図１に示すデジタル放送受信装置１と同様である。そのため、図１に示す機能ブロックと同一の機能ブロックには、同一の符号をつけている。【０１５９】  図１３に示すように、デジタル放送受信装置２は、図１に示すデジタル放送受信装置１に加えて、さらに、チューナＣ部１２２、多重分離Ｃ部１２３、およびデコーダＣ部１２４を備えている。図１３に示すデジタル放送受信装置２は、アンテナ１０１に始まりストリーム選択部１１９を経由して番組選択部１２１に至るまでの間に、信号を処理する受信処理系統を３つ有している。ストリーム選択部１１９と番組選択部１２１とを除く３つの受信処理系統は、設定されるチャンネルが異なることを除けば、基本的に同じように動作する。【０１６０】  図１３に示すように、デジタル放送受信装置２は、アンテナ１０１を通じてデジタル放送信号を受信する。デジタル放送信号は、チューナＡ部１０２、チューナＢ部１１５、およびチューナＣ部１２２に入力される。チューナＡ部１０２は、システム制御部１０５による指示に基づき、所望のチャンネルの放送波を復調する。このとき、チューナＡ部１０２は、各チャンネルの放送波から、それぞれ、トランスポートストリーム（ＴＳ、Ｔｒａｎｓｐｏｒｔ  Ｓｔｒｅａｍ）を生成する。チューナＡ部１０２は、生成したトランスポートストリームを多重分離Ａ部１０３に出力する。このトランスポートストリームは、複数のストリームおよびセクションを含んでいる。そこで多重分離Ａ部１０３は、入力されたトランスポートストリームから複数のストリームおよびセクションを分離する。【０１６１】  上述したように、デジタル放送受信装置２が受信したデジタル放送信号は、チューナＢ部１１５にも入力される。チューナＢ部１１５は、システム制御部１０５による指示に基づき、所望のチャンネルの放送波を復調する。このとき、チューナＢ部１１５は、各チャンネルの放送波から、それぞれ、トランスポートストリームを生成する。チューナＢ部１１５は、生成したトランスポートストリームを多重分離Ｂ部１１６に出力する。このトランスポートストリームには、複数のストリームおよびセクションが含まれている。そこで多重分離Ｂ部１１６は、入力されたトランスポートストリームから複数のストリームおよびセクションを分離する。【０１６２】  上述したように、デジタル放送受信装置２が受信したデジタル放送信号は、チューナＣ部１２２にも入力される。チューナＣ部１２２は、システム制御部１０５による指示に基づき、所望のチャンネルの放送波を復調する。このとき、チューナＣ部１２２は、各チャンネルの放送波から、それぞれ、トランスポートストリームを生成する。チューナＣ部１２２は、生成したトランスポートストリームを多重分離Ｃ部１２３に出力する。このトランスポートストリームは、複数のストリームおよびセクションを含んでいる��そこで多重分離Ｃ部１２３は、入力されたトランスポートストリームから複数のストリームおよびセクションを分離する。【０１６３】  多重分離Ａ部１０３は、生成したセクションをシステム制御部１０５に出力する。多重分離Ｂ部１１６も、多重分離Ａ部１０３と同様に、生成したセクションをシステム制御部１０５に出力する。多重分離Ｃ部１２３も、多重分離Ａ部１０３と同様に、生成したセクションをシステム制御部１０５に出力する。これらのセクションは、ＳＩ情報を含んでいる。そこでシステム制御部１０５は、入力されたセクションからＳＩ情報を抽出する。さらに、システム制御部１０５は、抽出したＳＩ情報から電子番組表を生成する。【０１６４】  多重分離Ａ部１０３は、複数のストリームをストリーム選択部１１９に出力する。多重分離Ｂ部１１６は、多重分離Ａ部１０３と同様に、複数のストリームをストリーム選択部１１９に出力する。多重分離Ｂ部１１６は、多重分離Ａ部１０３と同様に、複数のストリームをストリーム選択部１１９に出力する。【０１６５】  ストリーム選択部１１９は、入力されたストリームのうち、論理的に隣接する３つの番組に対応する３つのストリームを選択する。ストリーム選択部１１９は、３つのストリームの１つをデコーダＡ部１０４に出力し、もう１つをデコーダＢ部１２０に出力し、さらにもう１つをデコーダＣ部１２４に出力する。このとき、ストリーム選択部１１９は、システム制御部１０５からの指示にしたがい、どのストリームを、どのデコーダ部に出力するのかを決定する。また、デコーダＡ部１０４に出力すべき音声ストリームと映像ストリームを、デコーダＡ部１０４に出力する。また、デコーダＢ部１２０に出力すべき音声ストリームと映像ストリームを、デコーダＢ部１２０へ出力する。また、デコーダＣ部１２４に出力すべき音声ストリームと映像ストリームを、デコーダＣ部１２４へ出力する。【０１６６】  デコーダＡ部１０４は、入力された音声ストリームおよび映像ストリームを復号化することによって、映像信号および音声信号を生成し、番組選択部１２１に出力する。デコーダＢ部１２０も、入力された映像ストリームおよび映像ストリームを復号化することによって、映像信号および音声信号を生成し、番組選択部１２１に出力する。デコーダＣ部１２４も、入力された映像ストリームおよび映像ストリームを復号化することによって、映像信号および音声信号を生成し、番組選択部１２１に出力する。番組選択部１２１は、デコーダＡ部１０４とデコーダＢ部１２０とデコーダＣ部１２４から入力された、３つの、映像信号および音声信号の組み合わせから、いずれか１組を選択する。このとき番組選択部１２１は、システム制御部１０５からの指示にしたがい、どの組を選択するのかを決定する。ストリーム選択部１１９は、選択した第１ストリームを映像処理部１０９に出力し、第２ストリームを音声処理部１０７へ出力する。音声処理部１０７は、入力された第１ストリームに所定の処理を施して、音声出力部１０８に出力する。音声出力部１０８は、入力された第１ストリームをデジタル放送受信装置２に接続されている他の装置に出力する。【０１６７】  映像処理部１０９は、映像信号を映像合成部１１０���出力する。このとき、映像合成部１１０には、ＯＳＤ表示部１１１から、ＯＳＤ表示が入力される。そこで映像処理部１０９は、入力された第２ストリームおよびＯＳＤ表示を合成し、映像出力部１１２に出力する。映像出力部１１２は、ＯＳＤ表示が合成された第２ストリームを、デジタル放送受信装置２に接続されている他の装置に出力する。【０１６８】  本発明のデジタル放送受信装置２は、ユーザインターフェースとしてリモコン１１３を備えている。視聴者は、リモコン１１３を操作し、デジタル放送受信装置２へ、どの番組を出力するのかを指示する。リモコン１１３は、視聴者による操作に基づき、視聴者が押下したキーを表すＩＲ信号を生成し、デジタル放送受信装置２に出力する。【０１６９】  デジタル放送受信装置２では、リモコン１１３が出力したＩＲ信号を、ＩＲ受信部１１４が受信する。ＩＲ受信部１１４は、受信したＩＲ信号をデジタル信号に変更する。また、変更したデジタル信号をシステム制御部１０５に出力する。【０１７０】  システム制御部１０５は、リモコン１１３を通じた視聴者による指示にしたがう。すなわち、システム制御部１０５は、ＩＲ受信部１１４から入力されたデジタル信号にしたがい、上述した各部材を制御する。具体的には、システム制御部１０５は、チューナＡ部１０２、チューナＢ部１１５およびチューナＣ部１２２に対して、どのチャンネルの放送波を復調するのかを指示する。さらに、ストリーム選択部１１９に対して、どのストリームを選択するのかを指示する。システム制御部１０５は、番組選択部１２１に対して、どの番組を選択するのかを指示する。【０１７１】  システム制御部１０５は、多重分離Ａ部１０３、多重分離Ｂ部１１６、および多重分離Ｃ部１２３から入力されたセクションを処理する。上述したように、システム制御部１０５は、セクションを処理することによって、電子番組表を生成する。また、システム制御部１０５は、セクションから、各番組の番組情報を取得する。システム制御部１０５は、これらの取得した電子番組表等を、記憶部１０６に格納する。【０１７２】  記憶部１０６は、放送が流れているチャンネルの周波数などを、あらかじめ定義しているチャンネル情報テーブルを格納する。さらに、チャンネル管理部１１８が使用する番組情報テーブル、チャンネル切替リスト、および番組切替リストを格納する。【０１７３】  チャンネル管理部１１８は、チャンネル情報テーブル、番組情報テーブル、チャンネル切替リストおよび番組切替リストを使用する。これにより、チャンネル管理部１１８は、チューナＡ部１０２、チューナＢ部１１５、およびチューナＢ部１１５に設定する周波数を決定する。さらに、ストリーム選択部１１９が選択するストリームを決定する。さらに、番組選択部１２１が選択する番組を決定する。チャンネル管理部１１８が決定する各項目を使用することによって、システム制御部１０５が、チューナＡ部１０２、チューナＢ部１１５、チューナＣ部１２２、ストリーム選択部１１９および番組選択部１２１に指示する。【０１７４】  これらの動作の詳細について、図１４（ａ）〜図１７を参照して以下に説明する。【０１７５】  本実施形態では、デジタル放送受信装置２が使用するチャンネル情報テーブル、番組情報テーブル、チャンネル切替リスト、および番組切替リストは、いずれも、第１の実施形態におけるデジタル放送受信装置１が使用するものと、基本的に同一である。ただし、本実施形態では、第１の実施形態よりも、受信処理経路が１つ増えて３つになっている。そのため、デジタル放送受信装置２は、第１の実施形態とは異なるやりかたで、チャンネル切替リストおよび番組切替リストに含まれる３つのパラメータ（割当チューナ番号２２１、チャンネル状態２２２、ストリーム状態２３１）を設定する。そこで、本実施形態におけるチャンネル切替リストおよび番組切替リストの構造について、図１４（ａ）、図１４（ｂ）、図１５（ａ）、および図１５（ｂ）を参照して以下に説明する。【０１７６】  まず、チャンネル切替リストの構造について、図１４（ａ）および図１４（ｂ）を参照して説明する。図１４（ａ）および図１４（ｂ）は、本発明の第２の実施形態および第３の実施形態に係るデジタル放送受信装置１が使用するチャンネル切替リストの構成例を示す図であり、図１４（ａ）は、チャンネル切替リストの構成例および値の例を示す図であり、図１４（ｂ）は、ＺＡＰキー操作に対応した値の例を示す図である。この図に示すように、チャンネル切替リストに含まれる構成要素は、図２に示すチャンネル切替リストに構成要素と同一である。しかし、各構成要素の値が異なる。チャンネル切替リストの初期値は、図１４（ａ）および図１４（ｂ）に示すように、チャンネル状態２２２が「０」であるチャンネルを中心に、前後のチャンネルの値が配置される。すなわち、デジタル放送受信装置２が使用するチャンネル切替リストは、３チャンネルに対応した値を含んでいる。【０１７７】  これにより、初期状態では、番組切替リストのストリーム状態２３１は、必ず、「０」、「１」、および「３」を含むことになる。ここで、「０」は、視聴中の番組を示す値である。「１」は、視聴中の番組の１つ次の番組を示す値である。「３」は、視聴中の番組の１つ前の番組を示す値である。【０１７８】  チャンネル切替リストにおいて、割当チューナ番号２２１に値として書き込まれる「０」、「１」、および「２」は、チューナの種類を示す値である。本実施形態では、「０」はチューナＡ部１０２を示し、「１」はチューナＢ部１１５を示し、「２」はチューナＣ部１２２を示す。この対応関係に基づけば、チューナＡ部１０２にｎチャンネルが設定される。また、チューナＢ部１１５にｎ＋１チャンネルが設定される。さらに、チューナＣ部１２２にｎ−１チャンネルが設定される。以下では、この対応関係に基づき、デジタル放送受信装置２の動作を説明する。なお、このような対応関係は、デジタル放送受信装置２において、あらかじめ記憶部１０６に定義されていればよい。【０１７９】  図１５（ａ）に、番組切替リストに含まれる他の値の例を示す。この図に示す例では、デジタル放送受信装置２は、番組番号２１３がｍである番組を出力する。このとき、番組切替リストでは、番組番号２１３がｍである番組のストリーム状態２３１は、「０」である。番組番号２１３が１つ大きい隣の番組（ｍ＋１番の番組）のストリーム状態２３１は、「１」である���番組番号２１３が１つ小さい隣の番組（ｍ−１番の番組）のストリーム状態２３１は、「３」である。これら３つのいずれにも当てはまらない番組のストリーム状態２３１は、「２」である。【０１８０】  なお、初期状態の番組切替リストでは、チャンネル状態２２２が「０」であるチャンネルのストリーム状態２３１が「０」であればよい。または、チャンネル状態２２２が「０」である複数のチャンネルのストリーム状態２３１のうち、いずれか１つが「０」であればよい。【０１８１】  システム制御部１０５は、番組切替リストのストリーム状態２３１が「０」と「１」と「３」に相当するストリームの組を、それぞれ、デコーダＡ部１０４とデコーダＢ部１２０とデコーダＣ部１２４とに出力するように、ストリーム選択部１１９を制御する。さらに、システム制御部１０５は、番組切替リストのストリーム状態２３１が「０」である番組を音声出力部１０８および映像出力部１１２に出力するように、番組選択部１２１を制御する。【０１８２】  番組切替リストは、チューナＡ部１０２、チューナＢ部１１５、およびチューナＣ部１２２から同時に取得した番組の数に相当する深さを有する。ここでいう「深さ」とは、番組切替リストに含まれる値の数を意味する。図１５（ａ）に示す例では、番組切替リストは、ｎチャンネルに含まれる２つの番組（ｍ−１とｍ）と、ｎ＋１チャンネルに含まれる１つの番組（ｍ＋１）と、ｎ−１チャンネルに含まれる３つの番組（ｍ−２、ｍ−３、ｍ−４）を合計した、「６」の深さを有する。ここで、チャンネル切替リストに含まれる３つのチャンネルが、いずれも、複数の番組を含んでいる状況も起こりうる。したがって、番組切替リストの深さは、動的に変化する。【０１８３】  一方、チャンネル切替リストの深さは、デジタル放送受信装置２が備えるチューナの数と同一となる。ここでいう「深さ」とは、チャンネル切替リストに含まれるチャンネルの数を意味する。したがって、チャンネル切替リストの深さは動的に変化することなく、常に一定となる。上述したように、デジタル放送受信装置２は、チューナＡ部１０２、チューナＢ部１１５、およびチューナＣ部１２２という、３つのチューナを有する。これにより、図１４（ａ）に示すチャンネル切替リストでは、その深さは「３」となる。【０１８４】  チャンネル管理部１１８は、チャンネル切替リストおよび番組切替リストに基づき、タスクを実行する。そこで、以下に、視聴者がリモコン１１３を操作してチャンネルアップキーを押下する場合に、チャンネル管理部１１８がどのように動作するかについて、図１６および図１７を参照して以下に説明する。【０１８５】  まず、視聴者がリモコン１１３を操作して、チャンネルアップキーまたはチャンネルダウンキーを押下するときに、デジタル放送受信装置２がどのように動作するかについて、図６を参照して以下に説明する。図６は、本発明の第１の実施形態および第２の実施形態に係るデジタル放送受信装置１が、現在の番組を次の番組または前の番組に切り替える際の処理の流れを示すフローチャートである。【０１８６】  この図に示すように、視聴者はリモコン１１３を操作することによって、チャンネルアップキーまたはチャンネルダウ��キーを押下する（ステップＳ６１）。これにより、リモコン１１３は、視聴者が操作したキーに応じて、ＩＲ信号を生成し、デジタル放送受信装置２に送信する。デジタル放送受信装置２では、ＩＲ受信部１１４がＩＲ信号を受信し、このアナログ放送受信機からデジタル信号を生成することによって、番組切替リストに出力する。番組切替リストは、入力されたデジタル信号が、チャンネルアップキーが押下されることを示す信号であるか否かを判定する（ステップＳ６２）。判定結果が「真」である場合、デジタル放送受信装置２は、現在の番組の次の番組を選択する（ステップＳ６３）。【０１８７】  一方、ステップＳ６２における判定結果が「偽」である場合、番組切替リストは、入力されたデジタル信号が、チャンネルダウンキーを示す信号であるか否かを判定する（ステップＳ６４）。判定結果が「真」である場合、番組切替リストは、前の番組を選択する（ステップＳ６５）。番組切替リストは、入力されたデジタル信号が、チャンネルアップキーまたはチャンネルダウンキーを示す信号でないと判定すると、処理を終了する。【０１８８】  次に、視聴者がリモコン１１３のチャンネルアップキーを押下する場合における、デジタル放送受信装置２の動作を、図１６を参照して以下に説明する。図１６は、本発明の第２の実施形態に係るデジタル放送受信装置２が、現在の番組の次の番組を選択する際の処理の流れを示すフローチャトである。この図に示すように、視聴者がチャンネルアップキーを押下する（ステップＳ１６１）。これにより、チャンネル管理部１１８は、番組切替リストに含まれる各ストリーム状態２３１を、図１５（ａ）に示すように、ストリーム状態ＵＰ方向に変更する（ステップＳ１６２）。具体的には、システム制御部１０５は、ストリーム状態２３１が「１」であれば「０」に変更する。ストリーム状態２３１が「０」であれば「３」に変更する。ストリーム状態２３１が「３」であれば「２」に変更する。【０１８９】  ここで、システム制御部１０５は、番組切替リストを検索することによって、ストリーム状態２３１が新たに「０」に格納した番組を特定する。これにより、システム制御部１０５は、特定した番組を出力するように、番組選択部１２１に指示する。これにより、番組選択部１２１は、ストリーム状態２３１が新たに「０」に設定される番組を選択し、出力する。【０１９０】  次に、システム制御部１０５は、番組情報テーブルを検索することによって、ストリーム状態２３１が新たに「０」に設定された番組のＤＯＷＮ境界フラグ２１２が、「０」であるか否かを判定（ステップＳ１６３）。ここで、判定結果が「真」である場合、システム制御部１０５は、番組切替リストにおいてストリーム状態２３１が「０」の次の番組のストリーム状態２３１を「１」に設定する。（ステップＳ１７０）。これにより、システム制御部１０５は、処理を終了する。【０１９１】  一方、判定結果が「偽」である場合、すなわちＵＰ境界フラグ２１１が「１」であると判定する場合、システム制御部１０５は、チャンネル切替リストのチャンネル状態２２２を、チャンネル状態ＵＰ方向にシフトする（ステップＳ１６４）。具体的には、システム制御部１０５は、チャン���ル状態２２２が「１」であれば「０」に変更する。チャンネル状態２２２が「０」であれば「３」に変更する。チャンネル状態２２２が「３」であれば「２」に変更する。【０１９２】  チャンネル管理部１１８は、記憶部１０６に格納した番組情報テーブルの番組番号２１３を検索することによって、番組切替リストの中に、チャンネル切替リストにおいて新たにチャンネル状態２２２が「２」となったチャンネル番号２０１に含まれる番組があるか否かを判定する（ステップＳ１６５）。該当する番組が番組切替リストに存在すると判定する場合、チャンネル管理部１１８は、この番組を番組切替リストから削除する（ステップＳ１６６）。具体的には、チャンネル管理部１１８は、番組に定義されている値（番組番号２１３、ＵＰ境界フラグ２１１、ＤＯＷＮ境界フラグ２１２、およびストリーム状態２３１）を、番組切替リストから削除する。映像処理部１０９、番組が存在しないと判定する場合、チャンネル管理部１１８は、番組を番組切替リストから削除しない。すなわち、ステップＳ１６６における処理をスキップし、次の処理を実行する。【０１９３】  チャンネル管理部１１８は、チャンネル切替リストのチャンネル状態２２２が「２」であるチャンネル番号２０１を、チャンネル状態２２２が「０」に設定したチャンネルの次のチャンネルに設定する（ステップＳ１６７）。さらに、設定したチャンネルのチャンネル状態２２２を、「１」に設定する（ステップＳ１６７）。【０１９４】  この例について、図１５（ａ）を参照して以下に詳しく説明する。以下の例では、チャンネル管理部１１８は、ステップＳ１６２において、ｍ＋１の番組のストリーム状態２３１を、「０」に設定する。このとき、図１５（ａ）に示すように、ｍ＋１の番組のＤＯＷＮ境界フラグ２１２は「１」である。そのため、チャンネル管理部１１８は、ステップＳ１６３において「偽」の判定を下すため、次に、ステップＳ１６４の処理を実行する。【０１９５】  チャンネル管理部１１８は、ステップＳ１６４において、チャンネル状態２２２をＵＰ方向にシフトする。すなわち、チャンネル管理部１１８は、ｎ−１チャンネルのチャンネル状態２２２を「２」に設定し、ｎチャンネルのチャンネル状態２２２を「３」に設定し、ｎ＋１チャンネルのチャンネル状態２２２を「０」に設定する。さらに、チャンネル管理部１１８は、ステップＳ１６８およびステップＳ１６９において、ｎ−１チャンネルに含まれるｍ−２番組、ｍ−３番組、およびｍ−４番組の番組情報２１４を、番組切替リストから削除する。【０１９６】  次に、チャンネル管理部１１８は、ステップＳ１６４の処理を実行する。このとき、チャンネル管理部１１８は、チャンネル状態２２２を「０」に設定したｎ＋１チャンネルの次のチャンネルを、図２に示すチャンネル情報テーブルを参照して検索する。すなわち、チャンネル管理部１１８は、チャンネル番号２０１が「ｎ＋２」であるチャンネルを特定する。これにより、チャンネル切替リストにおいて、現在、「ｎ」であるチャンネル番号２０１の値を、「ｎ＋２」に設定する。さらに、チャンネル切替リストにおいて、ｎ＋２チャンネルのチャンネル状態２２２を「１」に設定する。【０１９７】  ���ャンネル切替リストを更新すると、チャンネル管理部１１８は、ｎ−１チャンネルが設定されていたチューナ（すなわち割当チューナ番号２２１が「２」であるチューナ）に設定したチャンネル番号２０１が、「ｎ＋２」になったことを、システム制御部１０５に通知する。これにより、システム制御部１０５は、チャンネル情報テーブルを参照することによって、割当チューナ番号２２１が「２」であるチューナＣ部１２２に、チャンネル番号２０１が「ｎ＋２」であるチャンネル周波数パラメータ２０２の値である「ｆ＿ｎ＋２」を設定する（ステップＳ１６８）。【０１９８】  チューナＣ部１２２は、設定されるチャンネル周波数パラメータ２０２に基づき、処理するチャンネルを変更する。すなわち、チューナＣ部１２２は、デジタル放送波から、ｎ＋２チャンネルのトランスポートストリームを抽出し、多重分離Ｂ部１１６に出力する。多重分離Ｂ部１１６は、ｎ＋２チャンネルのトランスポートストリームから、セクションを取得する。システム制御部１０５は、ｎ＋２チャンネルのセクションから、ＳＩ情報等の番組情報を取得する。【０１９９】  システム制御部１０５は、取得した番組情報を使用することによって、番組情報テーブルを更新する。チャンネル管理部１１８は、更新した番組情報テーブルを参照することによって、番組切替リストを更新する（ステップＳ１６９）。チャンネル管理部１１８は、新たに番組切替リストに追加された番組に対して、番組番号２１３の最も小さな番組番号のストリーム状態２３１を「１」に設定する（ステップＳ１７０）。【０２００】  具体的には、チャンネル管理部１１８は、図３に示す番組情報テーブルから、チャンネル番号２０１がｎ＋２であるチャンネルに含まれる３つの番組の番組情報２１４を取得する。このときチャンネル管理部１１８は、番組番号２１３がｍ＋２、ｍ＋３、ｍ＋４である３つの番組から、ＵＰ境界フラグ２１１、ＤＯＷＮ境界フラグ２１２、および番組番号２１３の各パラメータを取得する。さらに、チャンネル管理部１１８は、取得したパラメータを番組切替リストに追加する。また、チャンネル管理部１１８は、番組番号２１３がｍ＋２である番組のストリーム状態２３１を、「１」に設定する。さらに、番組番号２１３がｍ＋３である番組のストリーム状態２３１を、「２」に設定する。さらに、番組番号２１３がｍ＋４である番組のストリーム状態２３１を、「２」に設定する。【０２０１】  チャンネル管理部１１８は、以上のようにして更新した番組切替リストから、ストリーム状態２３１が「０」である番組と、ストリーム状態２３１が「１」である番組と、ストリーム状態２３１が「３」である番組とを特定する。これにより、チャンネル管理部１１８は、これらの論理的に隣接する３つの番組のストリームを出力するように、ストリーム選択部１１９に指示する。さらに、チャンネル管理部１１８は、ストリーム状態２３１が新たに「０」に変更される番組を選択するように、番組選択部１２１に指示する。【０２０２】  次に、視聴者がリモコン１１３のチャンネルダウンキーを押下する場合における、デジタル放送受信装置２の動作を、図１７を参照して以下に説明する。図１７は、本発明の第２の実施形態に係るデジタル放送受信装置２が、現在の番組の前の番組を選択する際の処理の流れを示すフローチャートである。【０２０３】  この図に示すように、視聴者がチャンネルアップキーを押下する（ステップＳ１７１）。これにより、チャンネル管理部１１８は、番組切替リストに含まれる各ストリーム状態２３１を、図１５（ａ）に示すように、ストリーム状態ＤＯＷＮ方向に変更する（ステップＳ１７２）。具体的には、チャンネル管理部１１８は、ストリーム状態２３１が「３」であれば「０」に変更する。ストリーム状態２３１が「０」であれば「１」に変更する。ストリーム状態２３１が「１」であれば「２」に変更する。【０２０４】  ここで、チャンネル管理部１１８は、番組切替リストを検索することによって、ストリーム状態２３１が新たに「０」に格納した番組を特定する。これにより、チャンネル管理部１１８は、特定した番組を出力するように、番組選択部１２１に指示する。これにより、番組選択部１２１は、ストリーム状態２３１が新たに「０」に格納した番組を選択し、出力する。【０２０５】  次に、チャンネル管理部１１８は、番組情報テーブルを検索することによって、ストリーム状態２３１が新たに「０」に設定された番組のＤＯＷＮ境界フラグ２１２が、「０」であるか否かを判定（ステップＳ１７３）。ここで、判定結果が「真」である場合、チャンネル管理部１１８は、番組切替リストにおいてストリーム状態２３１が「０」の次の番組のストリーム状態２３１を「３」に設定する。（ステップＳ１８０）。これにより、チャンネル管理部１１８は、処理を終了する。【０２０６】  一方、Ｓ１７３における判定結果が「偽」である場合、すなわちＵＰ境界フラグ２１１が「１」であると判定する場合、チャンネル管理部１１８は、チャンネル切替リストのチャンネル状態２２２を、チャンネル状態ＵＰ方向にシフトする（ステップＳ１７４）。具体的には、チャンネル管理部１１８は、チャンネル状態２２２が「３」であれば「０」に変更する。チャンネル状態２２２が「０」であれば「１」に変更する。チャンネル状態２２２が「１」であれば「２」に変更する。【０２０７】  チャンネル管理部１１８は、記憶部１０６に格納した番組情報テーブルの番組番号２１３を検索することによって、番組切替リストの中に、チャンネル切替リストにおいて新たにチャンネル状態２２２が「２」となったチャンネル番号２０１に含まれる番組があるか否かを判定する（ステップＳ１７５）。該当する番組が番組切替リストに存在すると判定する場合、チャンネル管理部１１８は、この番組を番組切替リストから削除する（ステップＳ１７６）。具体的には、チャンネル管理部１１８は、番組に定義されている値（番組番号２１３、ＵＰ境界フラグ２１１、ＤＯＷＮ境界フラグ２１２、およびストリーム状態２３１）を、番組切替リストから削除する。一方、番組が存在しないと判定する場合、チャンネル管理部１１８は、番組を番組切替リストから削除しない。すなわち、ステップＳ１７６における処理をスキップし、次の処理を実行する。【０２０８】  チャンネル管理部１１８は、チャンネル切替リストのチャンネル状態２２２が「２」であるチャンネル番号２０１を、チャンネル状態２２２が「０」に設定したチャンネルの次のチャンネルに設定する（ステップＳ１７７）。さらに、設定したチャンネルのチャンネル状態２２２を、「１」に設定する（ステップＳ１７７）。【０２０９】  チャンネル管理部１１８は、チャンネル切替リストを更新したことを、システム制御部１０５に通知する。これにより、システム制御部１０５は、更新されるチャンネル切替リストに基づき、チャンネル状態２２２が「３」であるチャンネルのチャンネル周波数パラメータ２０２を、チャンネル番号２０１に対応する割当チューナ番号２２１であるチューナに設定する（ステップＳ１７８）。システム制御部１０５は、取得した番組情報を使用することによって、番組情報テーブルを更新する。チャンネル管理部１１８は、更新した番組情報テーブルを参照することによって、番組切替リストを更新する（ステップＳ１６９）。チャンネル管理部１１８は、新たに番組切替リストに追加された番組に対して、番組番号２１３の最も大きな番組番号のストリーム状態２３１を「３」に設定する（ステップＳ１８０）。【０２１０】  なお、図１５（ａ）に示す例では、新たにストリーム状態２３１が「０」に設定される番組番号２１３は、ｍ−１の番組である。この番組では、ＵＰ境界フラグ２１１が「１」である。そのため、デジタル放送受信装置２は、チャンネルを切り替えない。すなわち、各チューナ部に設定した周波数を変更しない。【０２１１】  システム制御部１０５は、以上のようにして更新した番組切替リストから、ストリーム状態２３１が「０」である番組と、ストリーム状態２３１が「１」である番組と、ストリーム状態２３１が「３」である番組とを特定する。これにより、システム制御部１０５は、これらの論理的に隣接する３つの番組のストリームを出力するように、ストリーム選択部１１９に指示する。さらに、システム制御部１０５は、ストリーム状態２３１が新たに「０」に変更される番組を選択するように、番組選択部１２１に指示する。【０２１２】  本実施形態のデジタル放送受信装置２は、受信処理系統を３つ有している。そのため、第１の実施形態のデジタル放送受信装置１と異なり、現在の番組に前後する２つの番組を、常に同時に復号化している。これにより、視聴者がチャンネルアップキーまたはチャンネルダウンキーを押下することによって、現在の番組から、次の番組または前の番組に切り替えたとしても、デジタル放送受信装置２は、信号処理時間を要することなく、切り替えられた番組を即座に選択できる。これにより、デジタル放送受信装置２は、視聴者にストレスを感じさせることなく、アナログ放送受信機とほぼ同等の速さで番組を選択できる。【０２１３】  さらに、本実施形態のデジタル放送受信装置２では、第１の実施形態のデジタル放送受信装置２と異なり、番組切替リストやチャンネル切替リストをチェックする必要がない。これにより、視聴者がチャンネルアップキーおよびチャンネルダウンキーを交互に押下する場合であっても、デジタル放送受信装置２は、番組をスムースに選択できる。【０２１４】  なお、本実施形態では、アンテナ１０１から番組選択部１２１までに、３つの受信処理系統を有するデジタル放送受信装置２を説明した。しかし、本発明は、４つの受信処理系統を有してもよい。このとき、デジタル放送受信装置２は、図１４（ａ）と図１４（ｂ）とに示すチャンネル切替リスト、および、図１５（ａ）と図１５（ｂ）とに示す番組切替リストを使用することによって、図１６および図１７に示す処理を実行すればよい。なお、デジタル放送受信装置２は、受信処理系統の数に等しい割当チューナ番号２２１を有するチャンネル切替リストを使用すればよい。このとき、デジタル放送受信装置２が使用するチャンネル切替リストに含まれるチャンネル状態２２２、および、番組切替リストに含まれるストリーム状態２３１は、４種類の値の何れかであればよい。この４種類の値は、それぞれ、現在視聴者が視聴している番組を表す値、現在の番組の次の番組を表す値、現在の番組の次の番組を表す値、または、それ以外の番組を表す値であればよい。【０２１５】  さらに、デジタル放送受信装置２は、４つ以上の受信処理系統を有していてもよい。このとき、デジタル放送受信装置２が使用するチャンネル切替リストに含まれるチャンネル状態２２２、および、番組切替リストに含まれるストリーム状態２３１は、上述した４種類の値に限定されない。現在の番組より２つの次の番組、あるいは、現在の番組より２つ前の番組など、現在の番組を基準にした、任意の位置の状態を表す値であればよい。この場合でも、本実施形態と同様の効果を奏する。【０２１６】  〔実施形態３〕
本発明の第３の実施形態について、図１８および図１９を参照して以下に説明する。【０２１７】  視聴者は、テレビを視聴するとき、上述したように、視聴する番組を特に定めず、リモコン１１３のチャンネルアップキーやチャンネルダウンキーを適宜押下することによって、適当に番組を切り替えることが多い。しかし、それ以外に、次の番組や前の番組を選択するのではなく、アトランダムに番組を切り替えることもある。【０２１８】  本実施形態のデジタル放送受信装置２は、このような視聴者の挙動に応じた動作をする。なお、本実施形態では、視聴者が、リモコン１１３において押下する、番組をアトランダムに切り替えるためのキーを「ＺＡＰキー」と呼ぶ。【０２１９】  本実施形態におけるデジタル放送受信装置２の構成は、図１３に示すものと同一である。そのため、構成についての詳細な説明を省略する。【０２２０】  図１８および図１９を参照することによって、本実施形態におけるチャンネル管理部１１８の動作を説明する。以下では、チャンネル管理部１１８が、チューナＡ部１０２、チューナＢ部１１５、およびチューナＣ部１２２に設定するチャンネルを決定する例を説明する。さらに、チャンネル管理部１１８が、ストリーム選択部１１９に設定するストリームを決定する例を説明する。さらに、チャンネル管理部１１８が、番組選択部１２１に設定する番組を決定する例を説明する。【０２２１】  上述したように、第２の実施形態におけるデジタル放送受信装置２は、チャンネル情報テーブル、番組情報テーブル、チャンネル切替リスト、および番組切替リストを使用する。本実施形態のデジタル放送受信装置２も、これらのテーブルおよびリストと同一のものを使用する。すなわち、デジタル放送受信装置２は、図１４（ａ）と図１４（ｂ）とに示すチャンネル切替リストを使用する。また、図１５（ａ）と図１５（ｂ）とに示す番組切替リストを使用する。【０２２２】  初期状態のチャンネル切替リストは、図１４（ａ）に示すように、中心のチャンネルのチャンネル状態２２２が、「０」となっている。さらに、中心のチャンネルに前後する２つのチャンネルが配置されている。すなわち、チャンネル切替リストは、３つのチャンネルに関する各値を含んでいる。これにより、初期状態の番組切替リストは、ストリーム状態２３１として、「０」、「１」、および「２」の値を必ず含んでいる。ここで、「０」は、視聴者が視聴している現在の番組を示す。また、「１」は、現在の番組の次の番組を示す。また、「３」は、現在の番組の次の番組を示す。【０２２３】  第２の実施形態と同様に、チャンネル管理部１１８は、割当チューナ番号２２１に、「０」、「１」、または「２」の値を書き込む。これらの値は、それぞれどのチューナを示すものであるのかが、あらかじめ決められている。本実施形態では、「０」はチューナＡ部１０２を示し、「１」はチューナＢ部１１５を示し、「２」はチューナＣ部１２２を示す。この対応関係を記憶部１０６から読み出すことによって、チャンネル管理部１１８は、チューナＡ部１０２にｎチャンネルを設定する。また、チューナＢ部１１５にｉチャンネルを設定する。チューナＣ部１２２にｊチャンネルを設定する。【０２２４】  ��ジタル放送受信装置２が使用する番組切替リストを、図１５（ｂ）に示す。デジタル放送受信装置２は、番組番号２１３が「ｍ」である番組を出力する。番組番号２１３がｍである番組のストリーム選択部１１９は、値が「０」である。また、この図では、ストリーム状態をシフトする方向における隣の番組では、番組番号２１３が「ｐ」である。このｐ番組の番組番号２１３は、値が「１」である。また、ストリーム状態をシフトする方向と反対方向おける隣の番組では、番組番号２１３が「ｍ−１」である。このｍ−１番組の番組番号２１３は、値が「３」である。なお、チャンネル管理部１１８は、これら３つのいずれにも当てはまらない番組のストリーム状態２３１に、デコーダＢ部１２０を設定する。【０２２５】  初期状態の番組切替リストでは、チャンネル切替リストにおいてチャンネル状態２２２が「０」であるチャンネルに対応する番組番号２１３のストリーム状態２３１が、「０」であればよい。または、このチャンネルに対応する複数の番組番号２１３の１つのストリーム状態２３１が、「０」であればよい。【０２２６】  システム制御部１０５は、番組切替リストのストリーム状態２３１が「０」と「１」と「３」に相当するストリームの組を、デコーダＡ部１０４とデコーダＢ部１２０とデコーダＣ部１２４とに出力するように、ストリーム選択部１１９を制御する。さらに、システム制御部１０５は、番組切替リストのストリーム状態２３１が「０」の番組が音声出力部１０８および映像出力部１１２に出力されるように、番組選択部１２１を制御する。【０２２７】  番組切替リストは、チューナＡ部１０２、チューナＢ部１１５、およびチューナＣ部１２２から同時に取得される番組の数に相当する深さを有する。ここでいう「深さ」とは、番組切替リストに含まれる値の数を意味する。図１５（ｂ）に示す例では、番組切替リストは、ｎチャンネルに含まれる２つの番組（ｍ−１とｍ）と、ｉチャンネルに含まれる２つの番組（ｐとｐ＋１）と、ｊチャンネルに含まれる２つの番組（ｑとｑ＋１）とを合計した、「６」の深さを有する。ここで、チャンネル切替リストに含まれる３つのチャンネルが、いずれも、複数の番組を含んでいる状況も起こりうる。したがって、番組切替リストの深さは動的に変化する。【０２２８】  一方、チャンネル切替リストの深さは、デジタル放送受信装置２が備えるチューナの数と同一となる。ここでいう「深さ」とは、チャンネル切替リストに含まれる値の数を意味する。したがって、チャンネル切替リストの深さは動的に変化することなく、常に一定となる。図１４（ａ）や図１４（ｂ）に示す例では、その深さは「３」である。【０２２９】  チャンネル管理部１１８は、チャンネル切替リストおよび番組切替リストに基づき、タスクを実行する。そこで、視聴者がリモコン１１３を操作してＺＡＰキーを押下する場合に、チャンネル管理部１１８がどのように動作するかについて、図１８および図１９に示すフローチャートを参照して以下に説明する。【０２３０】  まず、視聴者がリモコン１１３を操作してチャンネルアップキー、チャンネルダウンキー、または、ＺＡＰキーを押下する場合に、デジタル放送受信装置２がどのように動作するのかに��いて、図１８を参照して以下に説明する。図１８は、本発明の第３の実施形態に係るデジタル放送受信装置２が、現在の番組を次の番組、前の番組、または任意の番組に切り替える際の処理の流れを示すフローチャートである。【０２３１】  この図に示すように、視聴者はリモコン１１３を操作することによって、チャンネルアップキー、チャンネルダウンキー、またはＺＡＰキーを押下する（ステップＳ１８１）。これにより、リモコン１１３は、視聴者が押下したキーに応じて、ＩＲ信号を生成し、デジタル放送受信装置２に送信する。デジタル放送受信装置２では、ＩＲ受信部１１４がＩＲ信号を受信し、このアナログ放送受信機からデジタル信号を生成することによって、システム制御部１０５に出力する。システム制御部１０５は、入力されたデジタル信号が、チャンネルアップキーが押下されることを示す信号であるか否かを判定する（ステップＳ１８２）。判定結果が「真」である場合、デジタル放送受信装置２は、現在の番組の次の番組を選択する（ステップＳ１８３）。【０２３２】  一方、ステップＳ１８２における判定結果が「偽」である場合、システム制御部１０５は、入力されたデジタル信号が、チャンネルダウンキーを示す信号であるか否かを判定する（ステップＳ１８４）。判定結果が「真」である場合、デジタル放送受信装置２は、現在の番組の前の番組を選択する（ステップＳ１８５）。【０２３３】  一方、ステップＳ１８２における判定結果が「偽」である場合、システム制御部１０５は、入力されたデジタル信号が、ＺＡＰキーを示す信号であるか否かを判定する（ステップＳ１８６）。判定結果が「真」である場合、デジタル放送受信装置２は、前の番組を選択する（ステップＳ１８７）。【０２３４】  次に、視聴者がアナログ放送受信機のＺＡＰキーを押下する場合の、チャンネル管理部１１８の動作について、図１９を参照することによって以下に説明する。図１９は、本発明の第３の実施形態に係るデジタル放送受信装置２が、任意の番組を選択する処理の流れを示すフローチャートである。【０２３５】  この図に示すように、視聴者がＺＡＰキーを押下する（ステップＳ１９１）。これにより、チャンネル管理部１１８は、番組切替リストに含まれる各ストリーム状態２３１を、図１５（ａ）に示すように、ストリーム状態ＵＰ方向に変更する（ステップＳ１９２）。具体的には、チャンネル管理部１１８は、ストリーム状態２３１が「１」であれば「０」に変更する。ストリーム状態２３１が「０」であれば「３」に変更する。ストリーム状態２３１が「３」であれば「２」に変更する。【０２３６】  ここで、システム制御部１０５は、番組切替リストを検索することによって、ストリーム状態２３１が新たに「０」に格納した番組を特定する。これにより、システム制御部１０５は、この特定した番組を出力するように、番組選択部１２１に指示する。これにより、番組選択部１２１は、ストリーム状態２３１が新たに「０」に設定される番組を選択し、出力する。【０２３７】  次に、チャンネル管理部１１８は、番組情報テーブルを検索することによって、ストリーム状態２３１が新たに「０」に設定された番組のＤＯＷＮ境界フラグ２１２が、「０」であるか否かを判定する（ステップＳ１９３）。ここで、判定結果が「真」である場合、チャンネル管理部１１８は、番組切替リストにおいてストリーム状態２３１が「０」の次の番組のストリーム状態２３１を「１」に設定する（ステップＳ２００）。これにより、チャンネル管理部１１８は処理を終了する。【０２３８】  一方、ステップＳ１９３における判定結果が「偽」である場合、すなわちＤＯＷＮ境界フラグ２１２を「１」であると判定する場合、チャンネル管理部１１８は、チャンネル切替リストのチャンネル状態２２２を、チャンネル状態ＵＰ方向にシフトする（ステップ１９４）。具体的には、チャンネル管理部１１８は、チャンネル状態２２２が「１」であれば「０」に変更する。チャンネル状態２２２が「０」であれば「３」に変更する。チャンネル状態２２２が「３」であれば「２」に変更する。【０２３９】  チャンネル管理部１１８は、記憶部１０６に格納した番組情報テーブルの番組番号２１３を検索することによって、番組切替リストの中に、チャンネル切替リストにおいて新たにチャンネル状態２２２が「２」となったチャンネルに含まれる番組があるか否かを判定する（ステップＳ１９５）。該当する番組が番組切替リストに存在すると判定する場合、チャンネル管理部１１８は、この番組を番組切替リストから削除する（ステップＳ１９６）。具体的には、チャンネル管理部１１８は、番組に定義されている値（番組番号２１３、ＵＰ境界フラグ２１１、ＤＯＷＮ境界フラグ２１２、およびストリーム状態２３１）を、番組切替リストから削除する。映像処理部１０９、番組が存在しないと判定する場合、チャンネル管理部１１８は、番組を番組切替リストから削除しない。すなわち、ステップＳ１９６における処理をスキップし、次の処理を実行する。【０２４０】  チャンネル管理部１１８は、チャンネル切替リストのチャンネル状態２２２が「２」であるチャンネル番号２０１を、チャンネル状態２２２が「０」であるチャンネルの次のチャンネルに設定する（ステップＳ１９７）。さらに、設定したチャンネルのチャンネル状態２２２を、「１」に設定する（ステップＳ１９７）。【０２４１】  この例について、図１５（ｂ）を参照して以下に詳しく説明する。以下の例では、チャンネル管理部１１８は、ステップＳ１９２において、ｐ番組のストリーム状態２３１を、「０」に設定する。このとき、図１５（ｂ）に示すように、ｐ番組のＤＯＷＮ境界フラグ２１２は「１」である。そのため、チャンネル管理部１１８は、ステップＳ１９３において「偽」の判定を下すため、次に、ステップＳ１９４の処理を実行する。【０２４２】  チャンネル管理部１１８は、ステップＳ１９４において、チャンネル切替リストのチャンネル状態２２２をストリーム状態ＵＰ方向にシフトする。このときチャンネル管理部１１８は、ｊチャンネルのチャンネル状態２２２を「２」に設定する。また、ｎチャンネルのチャンネル状態２２２を「３」に設定する。また、ｉチャンネルのチャンネル状態２２２を「０」に設定する。【０２４３】  さらに、チャンネル管理部１１８は、ステップＳ１９６において、ｊチャンネルに含まれるｑ番組、およびｑ＋１番組の番組情報２１４を、番組切替リストから削除する。さらに、チャンネル管理部１１８は、システム制御部１０５が番組情報テーブルから任意に選択した番組の番組番号２１３を、図２に示すチャンネル情報テーブルを参照することによって、検索する。すなわち、チャンネル管理部１１８は、チャンネル番号２０１がｋのチャンネルを特定する。これにより、チャンネル切替リストにおいて、現在、「ｊ」であるチャンネル番号２０１の値を、「ｋ」に設定する。さらに、チャンネル切替リストにおいて、ｋチャンネルのチャンネル状態２２２を、「１」に設定する。【０２４４】  上述したように、チャンネル管理部１１８は、チャンネル切替リストを更新する。これにより、チャンネル管理部１１８は、ｊチャンネルが設定されていたチューナ、すなわち、割当チューナ番号２２１が「２」に相当するチューナに設定されていたチャンネルを、「ｋ」を変更したことをシステム制御部１０５に通知する。この通知を受けて、システム制御部１０５は、チャンネル情報テーブルを参照して、割当チューナ番号２２１が「２」に相当するチューナであるチューナＣ部１２２に、チャンネル番号２０１が「ｋ」であるチャンネル周波数パラメータ２０２、すなわちｆ＿ｋを設定する（ステップＳ１９８）。【０２４５】  チューナＣ部１２２は、設定したチャンネル周波数パラメータ２０２に基づき、処理するチャンネルを変更する。すなわち、チューナＣ部１２２は、デジタル放送波から、ｋチャンネルのトランスポートストリームを抽出し、多重分離Ｂ部１１６に出力する。多重分離Ｂ部１１６は、ｋチャンネルのトランスポートストリームから、セクションを取得する。システム制御部１０５は、ｋチャンネルのセクションから、ＳＩ情報等の番組情報を取得する。【０２４６】  システム制御部１０５は、取得した番組情報を使用することによって、番組情報テーブルを更新する。チャンネル管理部１１８は、更新した番組情報テーブルを参照することによって、番組切替リストを更新する（ステップＳ１９９）。チューナＣ部１２２は、新たに番組切替リストに追加された番組に対して、番組番号２１３の最も小さな番組番号のストリーム状態２３１を「１」に設定する（ステップＳ２００）。【０２４７】  具体的には、チューナＣ部１２２は、図３に示す番組情報テーブルから、チャンネル番号２０１がｋであるチャンネルに含まれる１つの番組の番組情報２１４を取得する。このときチューナＣ部１２２は、番組番号２１３が「ｒ」である番組における、ＵＰ境界フラグ２１１、ＤＯＷＮ境界フラグ２１２、および番組番号２１３の各パラメータを取得する。さらに、チューナＣ部１２２は、取得したパラメータを番組切替リストに追加する。また、チューナＣ部１２２は、番組番号２１３がｐ＋１である番組のストリーム状態２３１を、「１」に設定する。さらに、その他の番組のストリーム状態２３１を、「２」に設定する。【０２４８】  システム制御部１０５は、以上のようにして更新した番組切替リストから、ストリーム状態２３１が「０」である番組と、ストリーム状態２３１が「１」である番組と、ストリーム状態２３１が「３」である番組とを特定する。これにより、システム制御部１０５は、これらの３つの番組のストリームを出力するように、スト��ーム選択部１１９に指示する。さらに、システム制御部１０５は、ストリーム状態２３１が新たに「０」に変更される番組を選択するように、番組選択部１２１に指示する。【０２４９】  本実施形態のデジタル放送受信装置２は、第２の実施形態と同様に、受信処理系統を３つ有する。そのため、デジタル放送受信装置２は、常に、１つ前に視聴した番組と、次に選択した番組の候補とを復号化する。これにより、視聴者がチャンネルを切り替えても、デジタル放送に特有の処理遅延時間は発生しない。したがって、デジタル放送受信装置２は、視聴者にストレスを感じさせることなく、アナログ放送受信機とほぼ同等の速さで、出力する番組を切り替えることができる。また、本実施形態では、リモコン１１３がＺＡＰキーを備えているので、視聴者は、ＺＡＰキーを押下するだけで、視聴する番組をアトランダムに切り替えることができる。【０２５０】  本実施形態では、アンテナ１０１から番組選択部１２１までに、３つの受信処理系統を有するデジタル放送受信装置２を説明した。しかし、本発明は、４つの受信処理系統を有してもよい。このとき、デジタル放送受信装置２は、図１４（ａ）と図１４（ｂ）とに示すチャンネル切替リスト、および、図１５（ａ）と図１５（ｂ）とに示す番組切替リストを使用することによって、図１６および図１７に示す処理を実行すればよい。なお、デジタル放送受信装置２は、受信処理系統の数に等しいパラメータを有するチャンネル切替リストを使用する。このとき、デジタル放送受信装置２が使用するチャンネル切替リストに含まれるチャンネル状態２２２、および、番組切替リストに含まれるストリーム状態２３１は、４種類の値の何れかであればよい。この４種類の値は、それぞれ、現在視聴者が視聴している番組を表す値、現在の番組の次の番組を表す値、現在の番組の次の番組を表す値、または、それ以外の番組を表す値であればよい。【０２５１】  上述したように、本実施形態のデジタル放送受信装置２は、チャンネルを切り替える際に、アトランダムに、次の番組を選択する。このことを除けば、本実施形態のデジタル放送受信装置２は、視聴者がチャンネルアップキーを押下する場合の、第２の実施形態におけるデジタル放送受信装置２と同様に、動作する。したがって、本実施形態における、チャンネルのアトランダムな切り替え処理は、第１の実施形態におけるデジタル放送受信装置１のように、２つの受信処理系統を有する装置であっても、問題なく実行できる。【０２５２】  以上のように、本発明に係るデジタル放送受信装置１は、デジタル放送信号を受信し、当該デジタル放送信号から番組を復号化するデジタル放送受信装置１であって、上記デジタル放送信号から、第１チャンネルに含まれる全てのストリームを、第１ストリームとしてチューナＡ部１０２と、上記デジタル放送信号から、第１チャンネルに隣接する第２チャンネルに含まれる全てのストリームを、第２ストリームとして取得するチューナＢ部１１５と、上記第１ストリームおよび上記第２ストリームから、互いに隣接する２つのストリームを選択するストリーム選択部１１９と、２つのストリームのいずれかを、現在の番組として選択する番組選択部１２１とを備えていることを特徴としている。【０２５３】  上記の構成によれば、本装置は、隣接する２つのチャンネルに含まれる、複数のストリームを取得する。ここで、本装置は、これらの複数のストリームから、隣接する２つのストリームを復号化する。さらに、これらの２つの復号化されるストリームのいずれかを、現在の番組として選択する。【０２５４】  このように、本装置は、隣接する２つのストリームを、同時に、復号化する。したがって、一方のストリームを、現在の番組として選択するとき、常にその隣のストリームを、次または前のストリームとして復号化している。これにより、視聴者による指示によって、現在の番組を次の番組または前の番組に切り替える必要があるとき、本装置は、事前に復号化しているストリームを、次の番組または前の番組として選択できる。したがって、本装置は、指示された番組を、復号化のための処理時間を要することなく素早く選択する可能性が向上する。【０２５５】  以上のように、本発明に係る番組選択方法は、デジタル放送信号を受信するデジタル放送受信装置１において、当該デジタル放送信号から復号化される番組を選択する番組選択方法であって、上記デジタル放送信号から、第１チャンネルに含まれる全てのストリームを、第１ストリームとして取得するステップと、上記デジタル放送信号から、第１チャンネルに隣接する第２チャンネルに含まれる全てのストリームを、第２ストリームとして取得するステップと、上記第１ストリームおよび上記第２ストリームから、互いに隣接する２つのストリームを選択するステップと、２つのストリームのいずれかを、現在の番組として選択するステップとを含んでいることを特徴としている。【０２５６】  本方法によれば、上述したデジタル放送受信装置１と同様の作用効果を奏する。【０２５７】  また、本発明に係るデジタル放送受信装置１は、現在の番組を新たな番組に切り替えるとき、番組選択部１２１に対し、２つのストリームのうち、現在選択していないストリームを、新たな番組として選択するように指示する制御手段であるシステム制御部１０５をさらに備えていることが好ましい。【０２５８】  上記の構成によれば、本装置は、復号化される２つのストリームのうち、現在選択していないストリームを、新たな番組として選択する。そのため、たとえば、現在の番組の次の番組または前の番組を選択するように、視聴者によって指示されたとき、本装置は、事前に復号化しているストリームを、次の番組または前の番組として選択できる。これにより、本装置は、指示された番組を、復号化のための処理時間を要することなく素早く選択できる。【０２５９】  また、本発明に係るデジタル放送受信装置１は、チューナＡ部１０２およびチューナＢ部１１５のうち、現在の番組を含むチャンネルのストリームを取得する方に、新たな番組を含むチャンネルの次のチャンネルのストリームを取得するように指示する制御手段であるシステム制御部１０５をさらに備えていることが好ましい。【０２６０】  上記の構成によれば、本装置は、現在の番組を他の番組に選択したあと、新たな番組を含むチャンネルの次のチャンネルのストリームを、取得する。これにより、本装置は、視聴者によってさらに次に選択され��可能性の高い番組のストリームを、事前に復号化する。したがって、本装置は、視聴者が隣接する番組を連続的に切り替え続けたとしても、新たな番組を素早く選択できる。【０２６１】  本発明に係る他のデジタル放送受信装置２は、上記の課題を解決するために、デジタル放送信号を受信し、当該デジタル放送信号から番組を復号化するデジタル放送受信装置２であって、上記デジタル放送信号から、第１チャンネルに含まれる全てのストリームを、第１ストリームとして取得するチューナＡ部１０２と、上記デジタル放送信号から、第１チャンネルに隣接する第２チャンネルに含まれる全てのストリームを、第２ストリームとして取得するチューナＢ部１１５と、上記デジタル放送信号から、第２チャンネルに隣接する第３チャンネルに含まれる全てのストリームを、第３ストリームとして取得するチューナＣ部１２２と、上記第１ストリーム、上記第２ストリーム、および第３ストリームから、論理的に隣接する３つのストリームを復号化するストリーム選択部１１９と、３つのストリームのうち中央のストリームを、現在の番組として選択する番組選択部１２１とを備えていることを特徴としている。【０２６２】  上記の構成によれば、本装置は、隣接する３つのチャンネルに含まれる、複数のストリームを取得する。ここで、本装置は、これらの複数のストリームから、隣接する３つのストリームを復号化する。さらに、これらの３つの復号化されるストリームのうち、中央のストリームを現在の番組として選択する。【０２６３】  このように、本装置は、隣接する３つのストリームを、同時に復号化する。これにより、視聴者による指示によって、現在の番組を次の番組または前の番組に切り替える必要があっても、本装置は、事前に復号化しているストリームを、次の番組または前の番組として選択できる。したがって、本装置は、視聴者が、現在の番組の次の番組または前の番組を指示する場合であっても、指示された番組を、復号化のための処理時間を要することなく素早く選択できる。【０２６４】  本発明に係る他の番組選択方法は、上記の課題を解決するために、デジタル放送信号を受信するデジタル放送受信装置２において、当該デジタル放送信号から復号化される番組を選択する番組選択方法であって、上記デジタル放送信号から、第１チャンネルに含まれる全てのストリームを、第１ストリームとして取得するステップと、上記デジタル放送信号から、第１チャンネルに隣接する第２チャンネルに含まれる全てのストリームを、第２ストリームとして取得するステップと、上記デジタル放送信号から、第２チャンネルに隣接する第３チャンネルに含まれる全てのストリームを、第３ストリームとして取得するステップと、上記第１ストリーム、上記第２ストリーム、および第３ストリームから、互いに隣接する３つのストリームを復号化するステップと、３つのストリームのうち中央のストリームを、現在の番組として選択するステップとを含んでいることを特徴としている。【０２６５】  本方法によれば、上述したデジタル放送受信装置２と同様の作用効果を奏する。【０２６６】  また、本発明に係るデジタル放送受信装置２は、現在の番組を新たな番組に切り替えるとき、番組選択部１２��に対し、３つのストリームのうち、現在の番組に対応するストリームの隣のストリームを、新たな番組として選択するように指示するシステム制御部１０５をさらに備えていることが好ましい。【０２６７】  上記の構成によれば、視聴者が、現在の番組を新たな番組に切り替えるように指示する場合に、本装置は、現在の番組に隣接する２つの番組のいずれかを、新たな番組として選択する。上述したように、本装置は、これら２つの番組を、事前に復号化している。これにより、本装置は、指示された番組を、復号化のための処理時間を要することなく素早く選択できる。【０２６８】  また、本発明に係るデジタル放送受信装置２は、チューナＡ部１０２、チューナＢ部１１５、およびチューナＣ部１２２のうち、現在の番組を含むチャンネルのストリームを取得する方に、新たな番組を含むチャンネルの次のチャンネルのストリームを取得するように指示するシステム制御部１０５をさらに備えていることが好ましい。【０２６９】  上記の構成によれば、本装置は、現在の番組を他の番組に選択あと、新たな番組を含むチャンネルの次のチャンネルのストリームを、取得する。これにより、本装置は、視聴者によってさらに次に選択される可能性の高い番組のストリームを、事前に復号化する。したがって、本装置は、視聴者が隣接する番組を連続的に切り替え続けたとしても、新たな番組を素早く選択できる。【０２７０】  本発明に係る他のデジタル放送受信装置２は、上記の課題を解決するために、デジタル放送信号を受信し、当該デジタル放送信号から番組を復号化するデジタル放送受信装置２であって、上記デジタル放送信号から、第１チャンネルに含まれる全てのストリームを、第１ストリームとして取得するチューナＡ部１０２と、上記デジタル放送信号から、上記第１チャンネル以外の任意の第２チャンネルに含まれる全てのストリームを、第２ストリームとして取得するチューナＢ部１１５と、上記デジタル放送信号から、上記第１および第２チャンネル以外の第３チャンネルに含まれる全てのストリームを、第３ストリームとして取得するチューナＣ部１２２と、上記第１ストリーム、上記第２ストリーム、および上記第３ストリームから、任意の３つのストリームを復号化するストリーム選択部１１９と、上記３つのストリームのうち、いずれか１つのストリームを、現在の番組として選択する番組選択部１２１と、上記現在の番組を新たな番組に切り替えるとき、上記ストリーム選択手段に対し、上記３つのストリームのうち、上記現在の番組に対応するストリーム以外のストリームのいずれか１つを、新たな番組として選択するように指示するシステム制御部１０５とを備えていることを特徴としている。【０２７１】  上記の構成によれば、本装置は、互いに異なる任意の３つのチャンネルに含まれる、複数のストリームをそれぞれ取得する。ここで、本装置は、これらの複数のストリームから、任意の３つのストリームを復号化する。さらに、これらの３つの復号化されるストリームのうち、いずれか１つのストリームを、現在の番組として選択する。【０２７２】  このように、本装置は、任意の３つのストリームを、同時に復号化する。そして、これらのストリームのうち、いずれか１つ��、現在の番組として選択する。さらに、現在の番組を新たな番組に切り替えるとき、デコード済みの３つのストリームのうち、現在の番組に対応するストリーム以外のストリームのいずれか１つを、新たな番組として選択する。これにより、視聴者による指示によって、現在の番組をアトランダムに任意の他の番組に切り替える必要があるときであっても、本装置は、事前に復号化しているストリームを、他の番組として選択できる。したがって、本装置は、視聴者が、現在の番組に隣接しない他の番組を選択する場合であっても、指示された番組を、復号化のための処理時間を要することなく素早く選択できる効果を奏する。【０２７３】  なお、本発明は上述した実施形態に限定されるものではなく、請求項に示した範囲で種々の変更が可能である。すなわち、請求項に示した範囲で適宜変更した技術的手段を組み合わせて得られる実施形態についても、本発明の技術的範囲に含まれる。【０２７４】  なお、上述した各部材は、いずれも機能ブロックである。したがって、これらの部材は、ＣＰＵなどの演算手段が、図示しない記憶部に格納された番組変更プログラムを実行し、図示しない入出力回路などの周辺回路を制御することによって、実現される。【０２７５】  したがって、本発明の目的は、上述した機能を実現するソフトウェアである番組変更プログラムのプログラムコード（実行形式プログラム、中間コードプログラム、ソースプログラム）をコンピュータによって読み取り可能に記録している記録媒体を、デジタル放送受信装置に供給し、デジタル放送受信装置に備えられるコンピュータ（またはＣＰＵやＭＰＵ、ＤＳＰ）が、記録媒体に記録されているプログラムコードを読み出し実行することによって、達成可能である。【０２７６】  この場合、記録媒体から読み出されたプログラムコード自体が、上述した機能を実現する。そのため、そのプログラムコードを記録している記録媒体は、本発明を構成することになる。【０２７７】  一方で、上述した各部材は、上述したソフトウェアと同様の処理を行うハードウェアとして実現してもよい。この場合、本発明の目的は、ハードウェアとしてのデジタル放送受信装置によって達成されることになる。【０２７８】  ここで、プログラムコードを読み出し実行する演算手段は、単体の構成であればよい。または、デジタル放送受信装置内部のバスや各種の通信路を介して接続されている複数の演算手段が、プログラムコードを協同して実行する構成であってもよい。【０２７９】  演算手段によって直接的に実行可能なプログラムコードを、このプログラムコードを格納しているコンピュータ読み取り可能な記録媒体を通じて、デジタル放送受信装置に配布すればよい。また、プログラムコードを、後述する解凍などの処理によってプログラムコードを生成可能なデータとして、当該データを格納しているコンピュータ読み取り可能な記録媒体に通じて、デジタル放送受信装置に配布してもよい。あるいは、これらのプログラムコードまたはデータを、有線または無線の通信路を介してデータを伝送する通信ネットワークを通じて、デジタル放送受信装置に配布または送信してもよい。いずれの手段によって配布または送信されても、プログラムコードは、デジタル放送受信装置に備えられる演算手段によって実行される。【０２８０】  このとき、特定のものに限定されない各種の通信ネットワークを通じて、プログラムコードまたはデータを伝送できる。このような通信ネットワークの具体例を挙げると、インターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等がある。また、通信ネットワークを構成する伝送媒体（通信路）も、特に限定されない。具体的には、ＩＥＥＥ１３９４規格による回線、ＵＳＢ回線、電力線、ケーブルＴＶ回線、電話線、およびＡＤＳＬ回線等の有線を、伝送媒体として利用できる。さらに、ＩｒＤＡやリモコンに用いられている赤外線を利用した無線、Ｂｌｕｅｔｏｏｔｈ規格またはＩＥＥＥ８０２．１１無線規格に規定されている無線、ＨＤＲ、携帯電話網、衛星回線、地上波デジタル網等を利用した無線も、伝送媒体として利用できる。【０２８１】  なお、プログラムコードをデジタル放送受信装置に配布するための記録媒体は、プログラムコードの配布前には、取り外し可能になっていることが好ましい。しかし、プログラムコードを配布した後には、デジタル放送受信装置装置から取り外し可能になっていてもよく、デジタル放送受信装置と一体化されて取り外し不可能になっていてもよい。【０２８２】  また、記録媒体は、プログラムコードが記録されてさえいれば、書き換え（書き込み）可能であってもよく、不可能であってもよい。また、揮発性であってもよく、非揮発性であってもよい。さらに、記録媒体へのプログラムコードの記録方法、および記録媒体の形状も、任意のものでよい。【０２８３】  このような条件を満たす記録媒体を例示すると、磁気テープやカセットテープなどのテープ、フロッピー（登録商標）ディスクやハードディスクなどの磁気ディスク、ＣＤ−ＲＯＭや光磁気ディスク（ＭＯ）、ミニディスク（ＭＤ）、デジタルビデオディスク（ＤＶＤ）などのディスクがある。さらに、ＩＣカードや光カードのようなカード型メモリ、あるいは、マスクＲＯＭやＥＰＲＯＭ、ＥＥＰＲＯＭまたはフラッシュＲＯＭなどの半導体メモリも該当する。さらに、ＣＰＵなどの演算手段内に形成されているメモリも該当する。【０２８４】  なお、プログラムコードを記録媒体から読み出して主記憶に格納するためのプログラムは、あらかじめ、デジタル放送受信装置内に、コンピュータによって実行可能に格納されている。また、プログラムコードを通信ネットワークを通じてデジタル放送受信装置に配布する場合、通信ネットワークからプログラムコードをダウンロードするプログラムは、あらかじめ、デジタル放送受信装置内に、コンピュータによって実行可能に格納されている。【０２８５】  また、プログラムコードは、上述した各処理の全手段を演算手段へ指示するコードであればよい。なお、コンピュータには、プログラムコードによる各処理の一部または全部を所定の手順で呼び出すことによって実行可能な基本プログラム（たとえば、オペレーティングシステムやライブラリなど）がすでに存在している場合がある。この場合、プログラムコードにお��る全手順の一部または全部を、この基本プログラムの呼び出しを演算手段へ指示するコードやポインタなどに置き換えたプログラムコードものを、番組変更プログラムのプログラムコードとしてもよい。【０２８６】  また、記録媒体に、実メモリにプログラムコードを配置した状態のように、番組変更プログラムを格納すればよい。具体的には、演算手段が記録媒体にアクセスしてプログラムコードを実行できる形式によって、番組変更プログラムを記録媒体に格納すればよい。または、実メモリにプログラムコードを配置する前であり、かつ、演算手段が常時アクセス可能なローカルな記録媒体（たとえばハードディスクなど）にインストールした後の格納形式によって、番組変更プログラムを記録媒体に格納してもよい。あるいは、通信ネットワークや搬送可能な記録媒体などからローカルな記録媒体にインストールする前の格納形式によって、番組変更プログラムを記録媒体に格納してもよい。【０２８７】  番組変更プログラムは、コンパイルされた後のオブジェクトコードに限られない。たとえば、番組変更プログラムは、ソースコードとして記録媒体に格納されていてもよい。あるいは、インタプリトまたはコンパイルの途中において生成される中間コードとして、記録媒体に格納されていてもよい。上述したいずれの場合であっても、記録媒体に格納されているプログラムコード（中間コード）は、演算手段が実行可能な形式に変換可能なものであればよい。【０２８８】  すなわち、プログラムコード（中間コード）は、所定の形式変換プログラムが、圧縮されたプログラムコードを解凍したり、符号化されたプログラムコードを復元したり、ソースコードをインタプリト、コンパイル、リンク、または、実メモリへ配置したりすることによって、あるいはこれらの処理を組み合わせて実行することによって、演算手段が実行可能な形式に変換されるものであればよい。これにより、番組変更プログラムを記録媒体に格納する際の格納形式にかかわらず、同様の効果を得ることができる。【０２８９】  なお、本発明のデジタル放送受信装置は、連続する２つのチャンネル番号に対応するデジタル放送波を受信し、該放送波に含まれる複数のストリームを出力する受信系と、該複数のストリームから、隣接した２つの番組番号のストリームを選択するストリーム選択手段と、該ストリーム選択手段で選択された２つのストリームをデコードする２つのデコーダと、該デコーダの２つの出力から視聴する１つの番組を選択する番号選択部と、を備えているものであってもよい。【０２９０】  上記構成によれば、チャンネルアップキーまたはチャンネルダウンキーの操作によって番組選択が行われた場合に備え、あらかじめ次に選択されるであろう番組をデコードできるので、ストレスなく番組切り替えが可能となる。【０２９１】  また、本発明のデジタル放送受信装置は、前記番組選択部で選択されない番組を、番組切り替えがなされた時に選択する制御系を備えてもよい。【０２９２】  上記構成によれば、チャンネルアップキーまたはチャンネルダウンキーの操作によって番組選択が行われた場合に、あらかじめデコードされていた番組が選択されるため、アナログ放送受信装置と同様の速さでチャンネル切り替えが可能となる。【０２９３】  さらに、本発明のデジタル放送受信装置の前記受信系は、番組切り替えがなされた後に、前記番組選択部で、前記切り替え前に選択されていた番組に対応するチャンネル番号に、前記切り替え前に選択されていない隣接するチャンネル番号の放送波を受信してもよい。【０２９４】  上記制御によれば、チャンネルアップキーまたはチャンネルダウンキーの操作によって番組選択が行われた場合に、常に次に選択されるであろう番組をデコードし続けることが可能となり、ストレスのないチャンネル切り替えが可能となる。【０２９５】  また、本発明に係る第２のデジタル放送受信装置は、連続する３つのチャンネル番号に対応するデジタル放送波を受信し、該放送波に含まれる複数のストリームを出力する受信系と、該複数のストリームから、隣接した３つの番組番号のストリームを選択するストリーム選択手段と、該ストリーム選択手段で選択された３つのストリームをデコードする３つのデコーダと、該デコーダの３つの出力から視聴する１つの番組を選択する番号選択部と、を備えているものであってもよい。【０２９６】  上記構成によれば、チャンネルアップキーまたはチャンネルダウンキーのいずれの操作による番組選択が行われた場合であっても、あらかじめ次に選択される番組がデコードされているので、ストレスなく番組切り替えが可能となる。【０２９７】  また、本発明の第２のデジタル放送受信装置は、前記番組選択部で選択されない番組を、番組切り替えがなされた時に選択する制御系を備えてもよい。【０２９８】  上記構成によれば、チャンネルアップキーまたはチャンネルダウンキーのいずれの操作によって番組選択が行われた場合であっても、あらかじめデコードされていた番組が選択されるため、アナログ放送受信装置と同様の速さでチャンネル切り替えが可能となる。【０２９９】  さらに、本発明の第２のデジタル放送受信装置の前記受信系は、番組切り替えがなされた後に、前記番組選択部で、前記切り替え前に選択されていた番組に対応するチャンネル番号に、前記切り替え前に選択されていない隣接するチャンネル番号の放送波を受信してもよい。【０３００】  上記制御によれば、チャンネルアップキーまたはチャンネルダウンキーのいずれの操作によって番組選択が行われた場合であっても、常に次に選択される番組をデコードし続けることが可能となり、ストレスのないチャンネル切り替えが可能となる。【０３０１】  さらに、本発明によれば、チャンネルアップキーおよびダウンキーによる選局を行っても、デジタル放送であるにもかかわらず、アナログ放送なみに選局後すぐに番組を出力できるという利点がある。そのため、特に所望の番組がある訳でもなく、短時間で番組を切替えながら視聴するユーザーであってもストレスを感じることのないデジタル放送受信装置の提供が可能となる。【０３０２】  また、本発明は、特に論理的に隣接する番組を順繰りに視聴するための、最適な番組選択アルゴリズムを提供している。
【産業上の利用可能性】
【０３０３】  本発明は、デジタル放送受信装置、およびデジタル放送受信装置を備えた電子機器として利用できる。デジタル放送受信装置には、テレビチューナが含まれる。デジタル放送受信装置を備えた電子機器には、テレビが含まれる。また、ビデオレコーダやハードディスクレコーダのようなテレビチューナが内蔵されている録画装置が含まれる。さらに、ビデオキャプチャカードも含まれる。さらに、携帯電話やモバイルテレビのようなワンセグチューナが内蔵されている過般型電子機器も含まれる。
【図１】
2006123671.tif 000002
【図２】
2006123671.tif 000003
【図３】
2006123671.tif 000004
【図４】
2006123671.tif 000005
【図５】
2006123671.tif 000006
【図６】
2006123671.tif 000007
【図７】
2006123671.tif 000008
【図８】
2006123671.tif 000009
【図９】
2006123671.tif 000010
【図１０】
2006123671.tif 000011
【図１１】
2006123671.tif 000012
【図１２】
2006123671.tif 000013
【図１３】
2006123671.tif 000014
【図１４（ａ）】
2006123671.tif 000015
【図１４（ｂ）】
2006123671.tif 000016
【図１５（ａ）】
2006123671.tif 000017
【図１５（ｂ）】
2006123671.tif 000018
【図１６】
2006123671.tif 000019
【図１７】
2006123671.tif 000020
【図１８】
2006123671.tif 000021
【図１９】
2006123671.tif 000022
【図２０】
2006123671.tif 000023
【手続補正書】
【提出日】平成19年2月24日(2007.2.24)
【手続補正１】
【補正対象書類名】特許請求の範囲
【補正対象項目名】全文
【補正方法】変更
【補正の内容】
【特許請求の範囲】
【請求項１】
デジタル放送信号を受信し、当該デジタル放送信号から番組を復号化するデジタル放送受信装置であって、
上記デジタル放送信号から、第１チャンネルに含まれるストリームを、第１ストリームとして取得する第１受信処理手段と、
上記デジタル放送信号から、上記第１チャンネルに隣接する第２チャンネルに含まれるストリームを、第２ストリームとして取得する第２受信処理手段と、
上記第１ストリームおよび上記第２ストリームから、互いに隣接する２つのストリームを並列的に復号化するストリーム選択手段と、
上記ストリーム選択手段により複号化された上記２つのストリームのいずれかを、現在の番組として選択する番組選択手段とを備えているデジタル放送受信装置。
【請求項２】
上記第１受信処理手段は、上記第１チャンネルに含まれる全てのストリームを、第１ストリームとして取得するものであり、
上記第２受信処理手段は、上記第２チャンネルに含まれる全てのストリームを、第２ストリームとして取得するものである、請求項１に記載のデジタル放送受信装置。
【請求項３】
上記現在の番組を新たな番組に切り替えるとき、
上記番組選択手段に対し、上記２つのストリームのうち、現在選択していないストリームを、新たな番組として選択するように指示する番組選択制御手段をさらに備えている請求項１または２に記載のデジタル放送受信装置。
【請求項４】
上記第１受信処理手段および第２受信処理手段のうち、上記現在の番組を含むチャンネルのストリームを取得する方に、上記新たな番組を含むチャンネルの次のチャンネルのストリームを取得するように指示するチャンネル選択制御手段をさらに備えている請求項３に記載のデジタル放送受信装置。
【請求項５】
デジタル放送信号を受信し、当該デジタル放送信号から番組を復号化するデジタル放送受信装置であって、
上記デジタル放送信号から、第１チャンネルに含まれるストリームを、第１ストリームとして取得する第１受信処理手段と、
上記デジタル放送信号から、上記第１チャンネルに隣接する第２チャンネルに含まれるストリームを、第２ストリームとして取得する第２受信処理手段と、
上記デジタル放送信号から、上記第２チャンネルに隣接する第３チャンネルに含まれるストリームを、第３ストリームとして取得する第３受信処理手段と、
上記第１ストリーム、上記第２ストリーム、および上記第３ストリームから、互いに隣接する３つのストリームを並列的に復号化するストリーム選択手段と、
上記ストリーム選択手段によって復号化された上記３つのストリームのうち、中央のストリームを、現在の番組として選択する番組選択手段とを備えているデジタル放送受信装置。
【請求項６】
上記第１受信処理手段は、上記第１チャンネルに含まれる全てのストリームを、第１ストリームとして取得するものであり、
上記第２受信処理手段は、上記第２チャンネルに含まれる全てのストリームを、第２ストリームとして取得するものであり、
上記第３受信処理手段は、上記第３チャンネルに含まれる全てのストリームを、
第３ストリームとして取得するものである、請求項５に記載のデジタル放送受信装置。
【請求項７】
上記現在の番組を新たな番組に切り替えるとき、
上記番組選択手段に対し、上記３つのストリームのうち、上記現在の番組に対応するストリームの隣のストリームを、新たな番組として選択するように指示する番組選択制御手段をさらに備えている請求項５または６に記載のデジタル放送受信装置。
【請求項８】
上記第１受信処理手段、第２受信処理手段、および第３受信処理手段のうち、上記現在の番組を含むチャンネルのストリームを取得する方に、上記新たな番組を含むチャンネルの次のチャンネルのストリームを取得するように指示するチャンネル選択制御手段をさらに備えている請求項７に記載のデジタル放送受信装置。
【請求項９】
デジタル放送信号を受信し、当該デジタル放送信号から番組を復号化するデジタル放送受信装置であって、
上記デジタル放送信号から、第１チャンネルに含まれるストリームを、第１ストリームとして取得する第１受信処理手段と、
上記デジタル放送信号から、上記第１チャンネル以外の任意の第２チャンネルに含まれるストリームを、第２ストリームとして取得する第２受信処理手段と、
上記デジタル放送信号から、上記第１および第２チャンネル以外の第３チャンネルに含まれるストリームを、第３ストリームとして取得する第３受信処理手段と、
上記第１ストリーム、上記第２ストリーム、および上記第３ストリームから、任意の３つのストリームを並列的に復号化するストリーム選択手段と、
上記ストリーム選択手段によって復号化された上記３つのストリームのうち、いずれか１つのストリームを、現在の番組として選択する番組選択手段と、
上記現在の番組を新たな番組に切り替えるとき、上記番組選択手段に対し、上記３つのストリームのうち、上記現在の番組に対応するストリーム以外のストリームのいずれか１つを、新たな番組として選択するように指示する番組選択制御手段とを備えているデジタル放送受信装置。
【請求項１０】
上記第１受信処理手段、第２受信処理手段、および第３受信処理手段のうち、上記現在の番組を含むチャンネルのストリームを取得する方に、上記新たな番組を含むチャンネルの次のチャンネルのストリームを取得するように指示するチャンネル選択制御手段をさらに備えている請求項９に記載のデジタル放送受信装置。
【請求項１１】
デジタル放送信号を受信するデジタル放送受信装置において、当該デジタル放送信号から復号化される番組を選択する番組選択方法であって、
上記デジタル放送信号から、第１チャンネルに含まれるストリームを、第１ストリームとして取得するステップと、
上記デジタル放送信号から、上記第１チャンネルに隣接する第２チャンネルに含まれるストリームを、第２ストリームとして取得するステップと、
上記第１ストリームおよび上記第２ストリームから、互いに隣接する２つのストリームを並列的に復号化するステップと、
複号化された上記２つのストリームのいずれかを、現在の番組として選択するステップとを含んでいることを特徴とする番組選択方法。
【請求項１２】
デジタル放送信号を受信するデジタル放送受信装置において、当該デジタル放送信号から復号化される番組を選択する番組選択方法であって、
上記デジタル放送信号から、第１チャンネルに含まれるストリームを、第１ストリームとして取得するステップと、
上記デジタル放送信号から、上記第１チャンネルに隣接する第２チャンネルに含まれるストリームを、第２ストリームとして取得するステップと、
上記デジタル放送信号から、上記第２チャンネルに隣接する第３チャンネルに含まれるストリームを、第３ストリームとして取得するステップと、
上記第１ストリーム、上記第２ストリーム、および上記第３ストリームから、互いに隣接する３つのストリームを並列的に復号化するステップと、
復号化された上記３つのストリームのうち、中央のストリームを、現在の番組として選択するステップとを含んでいることを特徴とする番組選択方法。
【請求項１３】
デジタル放送信号を受信するデジタル放送受信装置において、当該デジタル放送信号から復号化される番組を選択する番組選択方法であって、
上記デジタル放送信号から、第１チャンネルに含まれるストリームを、第１ストリームとして取得するステップと、
上記デジタル放送信号から、上記第１チャンネル以外の任意の第２チャンネルに含まれるストリームを、第２ストリームとして取得するステップと、
上記デジタル放送信号から、上記第１および第２チャンネル以外の第３チャンネルに含まれるストリームを、第３ストリームとして取得するステップと、
上記第１ストリーム、上記第２ストリーム、および上記第３ストリームから、任意の３つのストリームを並列的に復号化するステップと、
復号化された上記３つのストリームのうち、いずれか１つのストリームを、現在の番組として選択するステップと、
上記現在の番組を新たな番組に切り替えるとき、上記３つのストリームのうち、上記現在の番組に対応するストリーム以外のストリームのいずれか１つを、新たな番組として選択するステップとを含んでいる番組選択方法。
【請求項１４】
請求項１から１０のうち何れか１項に記載のデジタル放送受信装置を動作させる番組変更プログラムであって、コンピュータを上記の各手段として機能させるための番組変更プログラム。
【請求項１５】
請求項１４に記載の番組変更プログラムを記録しているコンピュータ読み取り可能な記録媒体。
【国際調査報告】
2006123671.tif 000024
2006123671.tif 000025
2006123671.tif 000026
2006123671.tif 000027